(57)【特許請求の範囲】
【請求項１】
ワイヤレスユーザ装置（ＵＥ）のための方法において、そのワイヤレスユーザ装置（ＵＥ）により、
セッションイニシエーションプロトコル（ＳＩＰ）のシグナリングを使用してセルラーコアネットワークの接近サービス（ＰｒｏＳｅ）機能でセルラーネットワーク支援の接近サービスについて登録し；
セルラーコアネットワークのＰｒｏＳｅ機能から接近サービスを得；
ＳＩＰシグナリングを使用してセルラーコアネットワークのＰｒｏＳｅ機能でセルラーネットワーク支援の接近サービスについて登録解除する；ことを含み、
前記セルラーネットワーク支援の接近サービスについて登録することは、更に、
ＰｒｏＳｅ機能へＳＩＰ登録要求を送信し、このＳＩＰ登録要求は、接近サービスのためにＵＥ装置をどれが登録するかに関連してアプリケーションのためのアプリケーション識別情報を含み；
ＳＩＰ登録要求に応答してＰｒｏＳｅ機能からＳＩＰ  ２００  ＯＫ応答を受信し；
登録イベントパッケージと契約するＳＩＰ契約要求をＰｒｏＳｅ機能へ送信し；
ＳＩＰ契約要求に応答してＰｒｏＳｅ機能からＳＩＰ  ２００  ＯＫ応答を受信して、契約を確認し；
ＰｒｏＳｅ機能からＳＩＰ通知要求を受信して、接近サービスのためのＵＥの登録が成功であったことをＵＥ装置に通知し；及び
ＳＩＰ通知要求に応答してＰｒｏＳｅ機能へＳＩＰ  ２００  ＯＫ応答を送信する；ことを含む、方法。
【請求項２】
ＰｒｏＳｅ機能は、ＵＥ装置からＳＩＰ登録要求を受け取ることに少なくとも一部分基づいてアプリケーションに対応するアプリケーションサーバーへＵＥ装置に代わって第三者ＳＩＰ登録要求を送信し；
ＰｒｏＳｅ機能は、第三者ＳＩＰ登録要求に応答してアプリケーションサーバーからＳＩＰ  ２００  ＯＫ応答を受信する；請求項１に記載の方法。
【請求項３】
ＳＩＰ登録要求は、ＵＥ装置の国際移動契約者アイデンティティ（ＩＭＳＩ）に基づいて発生されたＳＩＰ  ＵＲＩを一時的なパブリックユーザアイデンティティとして含み；  ＵＥ装置からＳＩＰ登録要求を受け取るのに基づいてＵＥ装置のためにＰｒｏＳｅ機能によりＰｒｏＳｅ契約者識別子が発生され、ＳＩＰ登録要求に応答してＰｒｏＳｅ機能から受信されるＳＩＰ  ２００  ＯＫ応答は、Ｐ関連ＵＲＩヘッダフィールドにＵＥ装置のＰｒｏＳｅ契約者識別子を含む、請求項１に記載の方法。
【請求項４】
前記セルラーネットワーク支援の接近サービスについての登録解除は、更に、
セッションイニシエーションプロトコル（ＳＩＰ）登録要求をＰｒｏＳｅ機能へ送信し、そのＳＩＰ登録要求は、セルラーコアネットワーク支援の接近サービスについてＵＥ装置の登録解除を指示するために値「０」の満了ヘッダフィールドを含み；及び
ＳＩＰ登録要求に応答してＰｒｏＳｅ機能からＳＩＰ  ２００  ＯＫ応答を受信し、登録解除を確認する；
ことを含む、請求項１に記載の方法。
【請求項５】
前記セルラーネットワーク支援の接近サービスについての登録解除は、更に、
ＰｒｏＳｅ機能からセッションイニシエーションプロトコル（ＳＩＰ）通知要求を受信し、そのＳＩＰ通知要求は、登録イベントパッケージに対応し、そのＳＩＰ通知要求は、ＵＥ装置へ接近サービスのためのＵＥ装置の登録解除を指示し；及び
ＳＩＰ通知要求に応答してＰｒｏＳｅ機能へＳＩＰ  ２００  ＯＫ応答を送信し、登録解除を確認する；
ことを含む、請求項１に記載の方法。
【請求項６】
セルラーコアネットワークに接近サービス（ＰｒｏＳｅ）機能を与えるように構成された装置において、
ネットワークポートと、
前記ネットワークポートに作動的に結合された処理要素と、
を備え、前記処理要素及びネットワークポートは、
セッションイニシエーションプロトコル（ＳＩＰ）シグナリングを使用してセルラーネットワーク支援の接近サービスについてワイヤレスユーザ装置（ＵＥ）を登録し；
ＵＥ装置へ接近サービスを提供し；
前記ＳＩＰシグナリングを使用してセルラーネットワーク支援の接近サービスについてＵＥ装置を登録解除する；ように構成され、
セルラーネットワーク支援の接近サービスについてＵＥ装置を登録するため、前記処理要素及びネットワークポートは、更に、
ＵＥ装置からＳＩＰ登録要求を受信し、このＳＩＰ登録要求は、接近サービスのためにＵＥ装置をどれが登録するかに関連してアプリケーションのためのアプリケーション識別情報を含み；
ＵＥ装置からＳＩＰ登録要求を受け取ることに少なくとも一部分基づいてアプリケーションに対応するアプリケーションサーバーへＵＥ装置に代わって第三者ＳＩＰ登録要求を送信し；
第三者ＳＩＰ登録要求に応答してアプリケーションサーバーからＳＩＰ  ２００  ＯＫ応答を受信し；
アプリケーションサーバーからＳＩＰ  ２００  ＯＫ応答を受信するのに基づきＳＩＰ登録要求に応答してＵＥ装置へＳＩＰ  ２００  ＯＫ応答を送信し；
ＵＥ装置から登録イベントパッケージと契約するＳＩＰ契約要求を受信し；
ＳＩＰ契約要求に応答してＵＥ装置へＳＩＰ  ２００  ＯＫ応答を送信して、契約を確認し；
ＵＥ装置へＳＩＰ通知要求を送信して、登録が成功したことをＵＥ装置に通知し；及び ＳＩＰ通知要求に応答してＵＥ装置からＳＩＰ  ２００  ＯＫ応答を受信する；ように構成されている、装置。
【請求項７】
ＳＩＰ登録要求は、ＵＥ装置の国際移動契約者アイデンティティ（ＩＭＳＩ）に基づく一時的なパブリックユーザアイデンティティを含み；前記装置は、更に、
ＵＥ装置からＳＩＰ登録要求を受け取るのに基づきＵＥ装置に対するＰｒｏＳｅ契約者識別子を発生する；
ように構成され、前記ＵＥ装置に対するＰｒｏＳｅ契約者識別子は、ＵＥ装置へのＳＩＰ登録要求に対して送信されるＳＩＰ  ２００  ＯＫ応答のＰ関連ＵＲＩヘッダフィールドに含まれる、請求項６に記載の装置。
【請求項８】
前記装置は、更に、ＵＥ装置に対応するホーム契約者サーバーで接近サービスに対してＵＥ装置を許可し及び／又は認証する；ように構成された、請求項６に記載の装置。
【請求項９】
セルラーネットワーク支援の接近サービスについてＵＥ装置を登録解除するため、前記処理要素及びネットワークポートは、更に、
ＵＥ装置からＳＩＰ登録要求を受信し、そのＳＩＰ登録要求は、接近サービスについてＵＥ装置の登録解除を指示するために値「０」の満了ヘッダフィールドを含み；及び
ＳＩＰ登録要求に応答してＵＥ装置へＳＩＰ  ２００  ＯＫ応答を送信し、登録解除を確認する；
ように構成された請求項６に記載の装置。
【請求項１０】
セルラーネットワーク支援の接近サービスについてＵＥ装置を登録解除するため、前記処理要素及びネットワークポートは、更に、
ＵＥ装置へＳＩＰ通知要求を送信し、そのＳＩＰ通知要求は、登録イベントパッケージに対応し、そのＳＩＰ通知要求は、ＵＥ装置に接近サービスのためのＵＥ装置の登録解除を指示し；及び
ＳＩＰ通知要求に応答してＵＥ装置からＳＩＰ  ２００  ＯＫ応答を受信し、登録解除を確認する；
ように構成された請求項６に記載の装置。
【発明の詳細な説明】
【技術分野】
【０００１】
本発明は、ワイヤレス装置に関するもので、より詳細には、セッションイニシエーションプロトコルのシグナリングを使用してセルラーコアネットワークで接近サービスについて登録し、且つセッションイニシエーションプロトコルのイベントフレームワークを使用してセルラーコアネットワークに接近要求及び警報能力を与える装置、システム及び方法に関する。
【０００２】
（優先権主張）
本願は、２０１４年３月２７日に出願された“Cellular Network Assisted Proximity Services Registration Procedures Using Session Initiation Protocol”と題する米国プロビジョナル特許出願第６１／９７１，０４５号、並びに２０１４年３月２７日に出願された“Session Initiation Protocol Event Framework for Cellular Network Assisted Proximity Requests/Alerts”と題する米国プロビジョナル特許出願第６１／９７１，０４７号の優先権の利益を主張するもので、両出願は、ここに完全に述べられたかのように参考としてここにそのまま援用される。
【背景技術】
【０００３】
ワイヤレス通信システムは、その使用が迅速に増大している。更に、多数の異なるワイヤレス通信技術及び規格が存在する。ワイヤレス通信規格は、幾つか例を挙げると、ＧＳＭ（登録商標）、ＵＭＴＳ（例えば、ＷＣＤＭＡ（登録商標）又はＴＤ−ＳＣＤＭＡエアインターフェイスに関連した）、ＬＴＥ、ＬＴＥアドバンスト（ＬＴＥ−Ａ）、ＨＳＰＡ、３ＧＰＰ２  ＣＤＭＡ２０００（例えば、１ｘＲＴＴ、１ｘＥＶ−ＤＯ、ＨＲＰＤ、ｅＨＲＰＤ）、ＩＥＥＥ８０２．１１（ＷＬＡＮ又はＷｉ−Ｆｉ）、ＩＥＥＥ８０２．１６（ＷｉＭＡＸ）、Ｂｌｕｅｔｏｏｔｈ（登録商標）、等を含む。
【発明の概要】
【発明が解決しようとする課題】
【０００４】
多数の異なるモードのワイヤレス通信が考えられる。ワイヤレスエンドポイント装置が１つ以上の中間装置（例えば、ベースステーション又はアクセスポイント）により通信する「インフラストラクチャーモード」のワイヤレス通信、及びワイヤレスエンドポイント装置が直接通信する「ピア・ツー・ピア」又は「デバイス・ツー・デバイス」のワイヤレス通信は、２つのそのような例示的モードのワイヤレス通信である。
【課題を解決するための手段】
【０００５】
セッションイニシエーションプロトコル（ＳＩＰ）メッセージを使用してセルラーコアネットワークで接近サービスについて登録及び登録解除を行い、且つ接近要求、接近警告、及び接近要求キャンセルのシグナリング能力を与える装置、システム及び方法、並びにその方法を実施するように構成された装置の実施形態が提供される。
【０００６】
ここに述べる技術によれば、既存及び／又は新規のパッケージを含む種々のＳＩＰイベントパッケージを使用して、セルラーネットワークのためのシグナリングフレームワークが、そのセルラーネットワークに結合されたユーザ装置に接近サービス支援を与えることができる。
【０００７】
例えば、セルラーネットワーク支援の接近サービスについて登録するために、ワイヤレス装置は、ＳＩＰ  ＲＥＧＩＳＴＥＲ要求を使用して、接近サービスについてセルラーネットワークの接近サービス機能で登録することができる。更に、ワイヤレス装置は、ネットワークのためのフレームワークを与えてワイヤレス装置の最新の登録状態を保持するために登録イベントパッケージと契約する。又、特殊なケースとして、ワイヤレス装置は、満了フィールドの値が“０”であるＳＩＰ  ＲＥＧＩＳＴＥＲ要求を送信することによって登録解除も行い、又、例えば、状態属性が「終了」にセットされ及び／又は属性が「非登録」又は「デアクチベート」又は「拒絶」にセットされても登録イベントパッケージのためのＳＩＰ  ＮＯＴＩＦＹ（ＳＩＰ通知）要求を送信することにより、ネットワーク開始の登録解除も行える。
【０００８】
別の例として、ＳＩＰ「ｅｐｃｐｒｏｓｅ」イベントパッケージが定義され、そしてワイヤレス装置とＰｒｏＳｅ機能との間の接近要求のために使用される。このケースでは、ワイヤレス装置は、ｅｐｃｐｒｏｓｅイベントパッケージに対し、ワイヤレス装置が接近警報を要求するところの別のワイヤレス装置を特定するようにセットされたパラメータ、及び接近要求の種々のパラメータで契約する。１つ以上の他のイベントパッケージ、例えば、ｐｒｅｓｅｎｃｅイベントパッケージ（例えば、異なるＰｒｏＳｅ機能間で使用される）及びｐｒｅｓｅｎｃｅ．ｗｉｎｆｏイベントパッケージ（例えば、ワイヤレス装置自身のｐｒｅｓｅｎｃｅ契約の状態を監視するのに使用される）も、接近要求及び警報フレームワークに関連して使用される。
【０００９】
ここに述べる技術は、これに限定されないが、接近サービス機能（ＰｒｏＳｅ機能）エンティティ及び／又は他のセルラーコアネットワークエンティティ、セルラーホン、タブレットコンピュータ、ウェアラブルコンピューティング装置、ポータブルメディアプレーヤ、及び種々の他のコンピューティング装置を含めて、多数の異なる形式の装置で実施され、及び／又はそれらと共に使用される。
【００１０】
この概要は、本書に述べる幾つかの要旨の簡単な概略を与えるものである。従って、上述した特徴は、単なる例示に過ぎず、ここに述べる要旨の範囲又は精神を限定するものではない。ここに述べる要旨の他の特徴、態様、及び効果は、以下の詳細な説明、添付図面及び特許請求の範囲から明らかとなるであろう。
【００１１】
好ましい実施形態の以下の詳細な説明を添付図面と共に考慮したときに、本発明の要旨を良く理解することができるであろう。
【図面の簡単な説明】
【００１２】
【図１】ある実施形態による例示的な（及び簡単な）ワイヤレス通信システムを示す。
【図２】ある実施形態によりユーザ装置（ＵＥ）と通信するベースステーション（ＢＳ）を示す図である。
【図３】ある実施形態による例示的な（及び簡単な）セルラーネットワークアーキテクチャーを示す。
【図４】ある実施形態によるＵＥの例示的なブロック図である。
【図５】ある実施形態によるＢＳの例示的なブロック図である。
【図６】ある実施形態によるＰｒｏＳｅ機能の例示的なブロック図である。
【図７】ある実施形態によりネットワーク支援の接近サービスを提供するための例示的アーキテクチャーを示す。
【図８】ある実施形態によりワイヤレス装置間にネットワーク支援の接近サービスを提供するための例示的な全高レベル通信フロー図である。
【図９】ある実施形態によるネットワーク支援の接近サービスのための装置及びアプリケーション登録の例示的な高レベル通信フロー図である。
【図１０】ある実施形態によるネットワーク支援の接近サービスのための装置及びアプリケーション登録の例示的な高レベル通信フロー図である。
【図１１】接近要求、接近警報及び接近要求キャンセルのための例示的な高レベル通信フロー図である。
【図１２】接近要求、接近警報及び接近要求キャンセルのための例示的な高レベル通信フロー図である。
【図１３】接近要求、接近警報及び接近要求キャンセルのための例示的な高レベル通信フロー図である。
【図１４】ネットワーク支援の接近サービスの装置登録解除の例示的な高レベル通信フロー図である。
【図１５】ネットワーク支援の接近サービスの装置登録解除の例示的な高レベル通信フロー図である。
【図１６】ＳＩＰを使用するネットワーク支援の接近サービスのための装置及びアプリケーション登録の例示的な通信フロー図である。
【図１７】ＳＩＰを使用する接近要求、接近警報及び接近要求キャンセルを示す例示的な通信フロー図である。
【図１８】ＳＩＰを使用する接近要求、接近警報及び接近要求キャンセルを示す例示的な通信フロー図である。
【図１９】ＳＩＰを使用する接近要求、接近警報及び接近要求キャンセルを示す例示的な通信フロー図である。
【図２０】ＳＩＰを使用するネットワーク支援の接近サービスの装置登録解除を示す例示的な通信フロー図である。
【図２１】ＳＩＰを使用するネットワーク支援の接近サービスの装置登録解除を示す例示的な通信フロー図である。
【発明を実施するための形態】
【００１３】
ここに述べる特徴は、種々の変更や代替的形態を受け易いが、その特定の実施形態を添付図面に一例として示して、以下に詳細に説明する。しかしながら、添付図面及びそれに対する詳細な説明は、本発明をここに開示する特定の形態に限定するものではなく、逆に、特許請求の範囲により規定された本発明の精神及び範囲に包含される全ての変更、等効物及び代替物を網羅することを意図していることを理解されたい。
【００１４】
頭字語
本開示では、次の頭字語を使用する。
３ＧＰＰ：第３世代パートナーシッププロジェクト
３ＧＰＰ２：第３世代パートナーシッププロジェクト２
ＧＳＭ：グローバルシステム・フォア・モバイルコミュニケーションズ
ＧＥＲＡＮ：ＧＳＭ  ＥＤＧＥ無線アクセスネットワーク
ＵＭＴＳ：ユニバーサルモバイルテレコミュニケーションズシステム
ＵＴＲＡＮ：ＵＭＴＳ地上無線アクセスネットワーク又はユニバーサル地上無線アクセスネットワーク
ＬＴＥ：長期進化
Ｅ−ＵＴＲＡＮ：進化型ＵＭＴＳ無線アクセスネットワーク又は進化型ユニバーサル無線アクセスネットワーク
ＥＰＣ：進化型パケットコア
ＥＰＳ：進化型パケットサービス
ＰｒｏＳｅ：接近サービス
ＭＭＥ：移動マネージメントエンティティ
ＨＳＳ：ホーム契約者サーバー
ＳＧＷ：サービングゲートウェイ
ＳＵＰＬ：セキュアユーザプレーンロケーション
ＳＬＰ：ＳＵＰＬロケーションプラットホーム
ＡＳ：アクセス層
ＮＡＳ：非アクセス層
ＰＬＭＮ：公衆地上移動ネットワーク
ＩＭＳＩ：国際移動契約者アイデンティティ
ＳＩＰ：セッションイニシエーションプロトコル
ＯＭＡ：オープンモバイルアリアンス
ＦＱＤＮ：完全修飾ドメイン名
【００１５】
用語
本明細書で使用される用語集は、次の通りである。
メモリ媒体：種々のタイプの非一時的メモリ装置又はストレージ装置のいずれか。「メモリ媒体」という用語は、インストール媒体、例えば、ＣＤ−ＲＯＭ、フロッピー（登録商標）ディスク、又はテープ装置；コンピュータシステムメモリ又はランダムアクセスメモリ、例えば、ＤＲＡＭ、ＤＤＲ  ＲＡＭ、ＳＲＡＭ、ＥＤＯ  ＲＡＭ、Ｒａｍｂｕｓ  ＲＡＭ、等；不揮発性メモリ、例えば、フラッシュ、磁気媒体、例えば、ハードドライブ又は光学的ストレージ；レジスタ又は他の同様のタイプのメモリ要素、等を含むことが意図される。メモリ媒体は、他のタイプの非一時的メモリ、及びその組み合わせを含む。加えて、メモリ媒体は、プログラムが実行される第１のコンピュータシステムに配置されるか、又はインターネットのようなネットワークを経て第１のコンピュータシステムに接続される第２の異なるコンピュータシステムに配置される。後者の場合には、第２のコンピュータシステムは、プログラムインストラクションを、実行のために第１のコンピュータに与える。「メモリ媒体」という用語は、異なる位置、例えば、ネットワークを経て接続された異なるコンピュータシステム、に存在する２つ以上のメモリ媒体を含む。メモリ媒体は、１つ以上のプロセッサにより実行されるプログラムインストラクション（例えば、コンピュータプログラムとして実施される）を記憶する。
【００１６】
キャリア媒体：上述したメモリ媒体、並びに物理的な送信媒体、例えば、電気、磁気又はデジタル信号のような信号を搬送するバス、ネットワーク、及び／又は他の物理的送信媒体。
【００１７】
プログラマブルハードウェア要素：プログラム可能な相互接続部を経て接続された複数のプログラム可能な機能ブロックを含む種々のハードウェア装置を備えている。例えば、ＦＰＧＡ（フィールドプログラマブルゲートアレイ）、ＰＬＤ（プログラマブルロジック装置）、ＦＰＯＡ（フィールドプログラマブルオブジェクトアレイ）、及びＣＰＬＤ（コンプレックスＰＬＤ）を含む。プログラマブル機能ブロックは、微細粒度（コンビナトリアルロジック又はルックアップテーブル）から粗い粒度（演算論理ユニット又はプロセッサコア）までの範囲である。プログラム可能なハードウェア要素は、「再構成可能なロジック」とも称される。
【００１８】
コンピュータシステム：パーソナルコンピュータシステム（ＰＣ）、メインフレームコンピュータシステム、ワークステーション、ネットワーク機器、インターネット機器、パーソナルデジタルアシスタント（ＰＤＡ）、テレビジョンシステム、グリッドコンピューティングシステム、或いは他の装置又は装置の組み合わせを含む種々のタイプのコンピューティング又は処理システムのいずれか。一般的に、「コンピュータシステム」という用語は、メモリ媒体からのインストラクションを実行する少なくとも１つのプロセッサを有する装置（又は装置の組み合わせ）を包含するように広く定義される。
【００１９】
ユーザ装置（ＵＥ）（又は「ＵＥ装置」）：移動又はポータブルであり且つワイヤレス通信を実行する種々のタイプのコンピュータシステム装置のいずれか。ＵＥ装置は、例えば、移動電話又はスマートホン（例えば、ｉＰｈｏｎｅTM、ＡｎｄｒｏｉｄTM−ベースの電話）、ポータブルゲーム機（例えば、ＮｉｎｔｅｎｄｏＤＳTM、ＰｌａｙＳｔａｔｉｏｎ  ＰｏｒｔａｂｌｅTM、Ｇａｍｅｂｏｙ  ＡｄｖａｎｃｅTM、ｉＰｈｏｎｅTM）、ラップトップ、ウェラブル装置（例えば、スマートウオッチ、スマートメガネ）、ＰＤＡ、ポータブルインターネット装置、音楽プレーヤ、データストレージ装置、他のハンドヘルド装置、等を含む。一般的に、「ＵＥ」又は「ＵＥ装置」という用語は、ユーザにより容易に持ち運びされそしてワイヤレス通信することのできる電子、コンピューティング及び／又はテレコミュニケーション装置（又は装置の組み合わせ）を包含するように広く定義される。
【００２０】
ベースステーション：「ベースステーション」という用語は、全範囲の通常の意味を有するもので、少なくとも、固定位置にインストールされて、ワイヤレス電話システム又は無線システムの一部分として通信するのに使用されるワイヤレス通信ステーションを包含する。
【００２１】
処理要素：種々の要素又は要素の組み合わせを指す。処理要素は、例えば、ＡＳＩＣ（特定用途向け集積回路）のような回路、個々のプロセッサコアの部分又は回路、全プロセッサコア、個々のプロセッサ、フィールドプログラマブルゲートアレイ（ＦＰＧＡ）のようなプログラム可能なハードウェア装置、及び／又は複数のプロセッサを含むシステムの大きな部分を含む。
【００２２】
チャンネル：送信者（送信器）から受信者へ情報を搬送するのに使用される媒体。「チャンネル」の特徴は、異なるワイヤレスプロトコルによって異なるので、ここで使用する「チャンネル」という語は、その語が使用されるところのタイプの装置の規格に適合するように使用されると考える。ある規格では、チャンネル巾が可変である（例えば、装置の能力、帯域条件、等に基づいて）。例えば、ＬＴＥは、１．４ＭＨｚから２０ＭＨｚまでの拡張可能なチャンネル帯域巾をサポートする。対照的に、ＷＬＡＮチャンネルは、２２ＭＨｚであり、一方、Ｂｌｕｅｔｏｏｔｈチャンネルは、１ＭＨｚ巾である。他のプロトコル及び規格は、チャンネルの異なる定義を含む。更に、ある規格は、複数のタイプのチャンネル、例えば、アップリンク又はダウンリンクのための異なるチャンネル、及び／又はデータ、コントロール情報、等の異なる使用に対する異なるチャンネルを定義しそして使用する。
【００２３】
帯域：「帯域」という語は、全範囲の通常の意味を有するもので、少なくとも、チャンネルが同じ目的で使用され又は取っておかれるスペクトル（例えば、高周波スペクトル）の一部分を含む。
【００２４】
自動的：アクション又は動作を直接明示し又は遂行するユーザ入力なしに、コンピュータシステム（例えば、コンピュータシステムにより実行されるソフトウェア）或いは装置（例えば、回路、プログラム可能なハードウェア要素、ＡＳＩＣ、等）により遂行されるアクション又は動作を指す。従って、「自動的」という用語は、ユーザが動作を直接遂行するための入力を与えるように、ユーザにより動作が手動で遂行され又は明示されるのとは対照的である。自動的な手順は、ユーザにより与えられた入力によって開始されるが、「自動的に」遂行されるその後のアクションは、ユーザによって明示されず、即ちユーザが遂行すべき各アクションを明示して「手動」で遂行されるのではない。例えば、各フィールドを選択しそして入力明示情報を与える（例えば、情報をタイプし、チェックボックスを選択し、無線を選択し、等により）ことにより電子的書式を埋めるユーザは、コンピュータシステムがユーザのアクションに応答して書式を更新しなくてはならなくても、書式を手動で埋める。書式は、コンピュータシステムにより自動的に埋められてもよく、この場合、コンピュータシステム（例えば、コンピュータシステムで実行されるソフトウェア）は、書式のフィールドを分析し、そしてフィールドへの返答を明示するユーザ入力なしに書式を埋める。上述したように、ユーザは、書式を自動的に埋めることを求めるが、書式を実際に埋めることには関与しない（例えば、ユーザは、フィールドへの返答を手動で明示せず、それは、自動的に完成される）。本明細書は、ユーザがとったアクションに応答して自動的に遂行される動作の種々の例について述べる。
【００２５】
図１−３：通信システム
図１は、ある実施形態による例示的な（及び簡単化された）ワイヤレス通信システムを示す。図１のシステムは、考えられるシステムの単なる一例に過ぎず、実施形態は、必要に応じて、種々のシステムのいずれでも具現化されることに注意されたい。
【００２６】
図示されたように、例示的なワイヤレス通信システムは、ベースステーション１０２Ａを備え、これは、１つ以上のユーザ装置１０６Ａ、１０６Ｂ、・・・１０６Ｎと送信媒体を経て通信する。ユーザ装置は、各々、ここでは「ユーザ装置」（ＵＥ）と称される。従って、ユーザ装置１０６は、ＵＥ又はＵＥ装置とも称される。
【００２７】
ベースステーション１０２Ａは、ベーストランシーバステーション（ＢＴＳ）又はセルサイトであり、そしてＵＥ１０６Ａないし１０６Ｎとワイヤレス通信できるようにするハードウェアを備えている。ベースステーション１０２Ａは、ネットワーク１００（例えば、種々の可能性の中でも、セルラーサービスプロバイダーのコアネットワーク、公衆交換電話ネットワーク（ＰＳＴＮ）のようなテレコミュニケーションネットワーク、及び／又はインターネット）とも通信するように装備される。従って、ベースステーション１０２Ａは、ユーザ装置間及び／又はユーザ装置とネットワーク１００との間の通信を容易にする。
【００２８】
ベースステーションの通信エリア（又はカバレージエリア）は、「セル」と称される。ベースステーション１０２Ａ及びＵＥ１０６は、ワイヤレス通信技術と称される種々の無線アクセス技術（ＲＡＴ）、或いはテレコミュニケーション規格、例えば、ＧＳＭ、ＵＭＴＳ（ＷＣＤＭＡ、ＴＤ−ＳＣＤＭＡ）、ＬＴＥ、ＬＴＥアドバンスト（ＬＴＥ−Ａ）、ＨＳＰＡ、３ＧＰＰ２  ＣＤＭＡ２０００（例えば、１ｘＲＴＴ、１ｘＥＶ−ＤＯ、ＨＲＰＤ、ｅＨＲＰＤ）、Ｗｉ−Ｆｉ、ＷｉＭＡＸ、等のいずれかを使用して、送信媒体にわたり通信するように構成される。
【００２９】
従って、同じ又は異なるセルラー通信規格に基づいて動作するベースステーション１０２Ａ及び他の同様のベースステーション（例えば、ベースステーション１０２Ｂ、・・・１０２Ｎ）は、１つ以上のセルラー通信規格により広い地域にわたってＵＥ１０６Ａ−Ｎに連続的な又はほぼ連続的な重畳するサービスを提供するセルのネットワークとして形成される。
【００３０】
従って、ベースステーション１０２Ａは、図１に示すようにＵＥ１０６Ａ−Ｎに対して「サービングセル」として働くが、各ＵＥ１０６は、「隣接セル」とも称される１つ以上の他のセル（ベースステーション１０２Ｂ−Ｎ及び／又は他のベースステーションにより形成される）から（及びおそらくはその通信範囲内で）信号を受信することもできる。そのようなセルは、ユーザ装置間及び／又はユーザ装置とネットワーク１００との間の通信を容易にすることもできる。そのようなセルは、「マクロ」セル、「マイクロ」セル、「ピコ」セル、及び／又はサービスエリアサイズの種々の他の粒度を与えるセルを含む。例えば、図１に示すベースステーション１０２ＡーＢは、マクロセルであり、一方、ベースステーション１０２Ｎは、マイクロセルである。他の構成も考えられる。
【００３１】
ＵＥ１０６がベースステーション１０２によって互いに及び他のネットワーク／装置と間接的に通信する「インフラストラクチャーモード」通信に加えて、あるＵＥは、「ピア・ツー・ピア」（Ｐ２Ｐ）又は「デバイス・ツー・デバイス」（Ｄ２Ｄ）の通信モードで通信することもできる。そのようなモード（おそらくある程度の接近を要求する）では、ＵＥ１０６Ａ及びＵＥ１０６ＢのようなＵＥは、（例えば、ベースステーション１０２Ａのような中間装置を経てではなく）互いに直接通信することができる。例えば、ＬＴＥ  Ｄ２Ｄ、Ｂｌｕｅｔｏｏｔｈ（ＢＴ低エネルギを含む“ＢＴ”（“ＢＬＥ”）、代替的なＭＡＣ／ＰＨＹ（“ＡＭＰ”）、及び／又は他のＢＴバージョン又は特徴）、ＷＬＡＮ直接／Ｗｉ−Ｆｉアドホック／ピア・ツー・ピア、及び／又は他のピア・ツー・ピアワイヤレス通信プロトコルを使用して、２つのＵＥ１０６間の直接的な通信を容易に行うことができる。
【００３２】
ＵＥ１０６は、複数のワイヤレス通信規格を使用して通信できることに注意されたい。例えば、ＵＥ１０６は、ＧＳＭ、ＵＭＴＳ、ＣＤＭＡ２０００、ＷｉＭａｘ、ＬＴＥ、ＬＴＥ−Ａ、ＷＬＡＮ、Ｂｌｕｅｔｏｏｔｈ、１つ以上のグローバルなナビゲーション衛星システム（ＧＮＳＳ、例えば、ＧＰＳ又はＧＬＯＮＡＳＳ）、１つ及び／又はそれ以上のテレビ放送規格（例えば、ＡＴＳＣ−Ｍ／Ｈ又はＤＶＢ−Ｈ）、等の１つ以上を使用して通信するように構成される。ワイヤレス通信規格の他の組み合わせ（３つ以上のワイヤレス通信規格を含む）も考えられる。
【００３３】
図２は、ある実施形態により、ベースステーション１０２（例えば、ベースステーション１０２Ａないし１０２Ｎの１つ）と通信するユーザ装置１０６（例えば、装置１０６Ａないし１０６Ｎの１つ）を示している。ＵＥ１０６は、セルラー通信能力を伴う装置、例えば、移動電話、ハンドヘルド装置、コンピュータ又はタブレット、或いは実質上、任意のタイプのワイヤレス装置である。
【００３４】
ＵＥ１０６は、メモリに記憶されたプログラムインストラクションを実行するよう構成されたプロセッサを備えている。ＵＥ１０６は、そのように記憶されたインストラクションを実行することにより、ここに述べる方法実施形態のいずれかを遂行する。それとは別に又はそれに加えて、ＵＥ１０６は、ここに述べるいずれかの方法実施形態、又はここに述べるいずれかの方法実施形態のいずれかの部分を遂行するように構成されたＦＰＧＡ（フィールドプログラマブルゲートアレイ）のようなプログラム可能なハードウェア要素を含む。
【００３５】
上述したように、ＵＥ１０６は、複数のＲＡＴのいずれかを使用して通信するよう構成される。例えば、ＵＥ１０６は、ＧＳＭ、ＣＤＭＡ２０００、ＬＴＥ、ＬＴＥ−Ａ、ＷＬＡＮ又はＧＮＳＳの２つ以上を使用して通信するように構成される。ワイヤレス通信技術の他の組み合わせも考えられる。
【００３６】
ＵＥ１０６は、１つ以上のワイヤレス通信プロトコル又は技術を使用して通信するために１つ以上のアンテナを備えている。１つの実施形態において、ＵＥ１０６は、ＣＤＭＡ２０００（１ｘＲＴＴ／１ｘＥＶ−ＤＯ／ＨＲＰＤ／ｅＨＲＰＤ）、又は単一の共有無線及び／又はＧＳＭを使用するＬＴＥ、又は単一の共有無線を使用するＬＴＥのいずれかを使用して通信するように構成される。共有無線は、ワイヤレス通信を遂行するために単一のアンテナに結合されるか又は複数のアンテナ（例えば、ＭＩＭＯのための）に結合される。一般的に、無線は、基本帯域プロセッサ、アナログＲＦ信号処理回路（例えば、フィルタ、ミクサ、発振器、増幅器、等を含む）、又はデジタル処理回路（例えば、デジタル変調及び他のデジタル処理のための）の組み合わせを含む。同様に、無線は、前記ハードウェアを使用して１つ以上の受信及び送信チェーンを実施する。ＵＥ１０６は、上述したような複数のワイヤレス通信技術間で受信及び／又は送信チェーンの１つ以上の部分を共有する。
【００３７】
ある実施形態では、ＵＥ１０６は、それが通信するように構成された各ワイヤレス通信プロトコルのための個別の送信及び／又は受信チェーン（例えば、個別のＲＦ及び／又はデジタル無線コンポーネントを含む）を備えている。更に別の可能性として、ＵＥ１０６は、複数のワイヤレス通信プロトコル間に共有される１つ以上の無線と、単一のワイヤレス通信プロトコルにより排他的に使用される１つ以上の無線とを備えている。例えば、ＵＥ１０６は、ＬＴＥ又は１ｘＲＴＴ（又はＬＴＥ又はＧＳＭ）を使用して通信するための共有無線と、Ｗｉ−Ｆｉ及びＢｌｕｅｔｏｏｔｈの各々を使用して通信するための個別の無線とを備えている。又、他の構成も考えられる。
【００３８】
図３は、ある実施形態による３ＧＰＰ準拠のセルラーネットワークのようなワイヤレス通信システムの例示的な簡単な部分を示す。
【００３９】
図示されたように、ＵＥ１０６は、この例示的な実施形態ではｅＮｏｄｅＢ１０２と示されたベースステーションと通信する。次いで、ｅＮｏｄｅＢは、この例示的な実施形態では進化型パケットコア（ＥＰＣ）１００と示されたコアネットワークに結合される。図示されたように、ＥＰＣ１００は、移動マネージメントエンティティ（ＭＭＥ）３２２、ホーム契約者サーバー（ＨＳＳ）３２４、サービングゲートウェイ（ＳＧＷ）３２６、及び接近サービス（ＰｒｏＳｅ）３２８を備えている。ＥＰＣ１００は、当業者に知られた種々の他の装置及び／又はエンティティを含んでもよい。
【００４０】
図４：ＵＥの例示的なブロック図
図４は、ある実施形態によるＵＥ１０６の例示的なブロック図である。図示されたように、ＵＥ１０６は、種々の目的のための部分を含むシステムオンチップ（ＳＯＣ）４００を備えている。例えば、図示されたように、ＳＯＣ４００は、ＵＥ１０６のためのプログラムインストラクションを実行するプロセッサ４０２と、グラフィック処理を行いそしてディスプレイ４６０に表示信号を与えるディスプレイ回路４０４とを備えている。又、プロセッサ４０２は、メモリマネージメントユニット（ＭＭＵ）４４０にも結合され、これは、プロセッサ４０２からアドレスを受け取り、そしてそれらアドレスをメモリ（メモリ４０６、リードオンリメモリ（ＲＯＭ）４５０、ＮＡＮＤフラッシュメモリ４１０）内の位置、及び／又は他の回路又は装置、例えば、ディスプレイ回路４０４、ワイヤレス通信回路４３０、コネクタＩ／Ｆ４２０、及び／又はディスプレイ４６０に変換するように構成される。ＭＭＵ４４０は、メモリ保護及びページテーブル変換又はセットアップを遂行するように構成される。ある実施形態では、ＭＭＵ４４０は、プロセッサ４０２の一部分として含まれる。
【００４１】
又、図示されたように、ＳＯＣ４００は、ＵＥ１０６の種々の他の回路に結合される。例えば、ＵＥ１０６は、種々のタイプのメモリ（例えば、ＮＡＮＤフラッシュ４１０を含む）、コネクタインターフェイス４２０（例えば、コンピュータシステム、ドック、充電ステーション、等へ結合するための）、ディスプレイ４６０、及びワイヤレス通信回路４３０（例えば、ＬＴＥ、ＣＤＭＡ２０００、Ｂｌｕｅｔｏｏｔｈ、ＷｉＦｉ、等のための）を備えている。
【００４２】
上述したように、ＵＥ１０６は、複数のワイヤレス通信技術を使用してワイヤレス通信するように構成される。更に上述したように、そのような場合には、ワイヤレス通信回路４３０は、複数のワイヤレス通信技術間に共有される無線コンポーネント、及び／又は単一のワイヤレス通信技術に基づいて排他的に使用するように構成された無線コンポーネントを含む。図示されたように、ＵＥ装置１０６は、セルラーベースステーション及び／又は他の装置とのワイヤレス通信を遂行するための少なくとも１つのアンテナ（及びおそらくは、複数のアンテナ、例えば、ＭＩＭＯ用、及び／又はとりわけ異なるワイヤレス通信技術を実施するために）を備えている。ＵＥ１０６は、ワイヤレス通信を遂行するためにアンテナ４３５を使用する。
【００４３】
以下に更に述べるように、ＵＥ１０６は、ここに述べる方法の一部分又は全部を実施するためのハードウェア及びソフトウェアコンポーネントを備えている。ＵＥ装置１０６のプロセッサ４０２は、例えば、メモリ媒体（例えば、非一時的コンピュータ読み取り可能なメモリ媒体）に記憶されたプログラムインストラクションを実行することにより、ここに述べる特徴の一部分又は全部を実施するように構成される。それとは別に（又はそれに加えて）、プロセッサ４０２は、プログラム可能なハードウェア要素、例えば、ＦＰＧＡ（フィールドプログラマブルゲートアレイ）又はＡＳＩＣ（特定用途向け集積回路）として構成される。それとは別に（又はそれに加えて）、ＵＥ装置１０６のプロセッサ４０２は、他のコンポーネント４００、４０４、４０６、４１０、４２０、４３０、４３５、４４０、４５０、４６０の１つ以上に関連して、ここに述べる特徴の一部分又は全部を実施するように構成される。
【００４４】
図５：ベースステーション
図５は、ある実施形態によるベースステーション１０２の例示的なブロック図である。図５のベースステーションは、考えられるベースステーションの一例に過ぎないことに注意されたい。図示されたように、ベースステーション１０２は、ベースステーション１０２のためのプログラムインストラクションを実行するプロセッサ５０４を備えている。プロセッサ５０４は、メモリマネージメントユニット（ＭＭＵ）５４０にも結合され、これは、プロセッサ５０４からアドレスを受け取り、そしてそれらのアドレスをメモリ（例えば、メモリ５６０及びリードオンリメモリ（ＲＯＭ）５５０）内の位置或いは他の回路又は装置に変換する。
【００４５】
ベースステーション１０２は、少なくとも１つのネットワークポート５７０を備えている。ネットワークポート５７０は、電話ネットワークに結合されて、前記電話ネットワークへのアクセスをＵＥ装置１０６のような複数の装置に与えるように構成される。
【００４６】
それに加えて又はそれとは別に、ネットワークポート５７０（又は付加的なネットワークポート）は、セルラーネットワーク、例えば、セルラーサービスプロバイダーのコアネットワークに結合するように構成される。コアネットワークは、移動関連サービス及び／又は他のサービスを、ＵＥ装置１０６のような複数の装置に提供する。あるケースでは、ネットワークポート５７０は、コアネットワークを経て電話ネットワークに結合され、及び／又はコアネットワークは、電話ネットワークをなす（例えば、セルラーサービスプロバイダーによりサービスされる他のＵＥ装置の中で）。
【００４７】
ベースステーション１０２は、少なくとも１つのアンテナ５３４を備えている。このアンテナ５３４は、ワイヤレストランシーバとして動作するように構成され、そして更に、ワイヤレス通信回路５３０を経てＵＥ装置１０６と通信するように構成される。アンテナ５３４は、通信チャンネル５３２を経てワイヤレス通信回路５３０と通信する。通信チャンネル５３２は、受信チェーン、送信チェーン、又はその両方である。ワイヤレス通信回路５３０は、これに限定されないが、ＬＴＥ、ＬＴＥ−Ａ、ＧＳＭ、ＷＣＤＭＡ、ＣＤＭＡ２０００、Ｗｉ−Ｆｉ、等を含めて、種々のワイヤレス通信技術を経て通信するように構成される。
【００４８】
ベースステーション１０２のプロセッサ５０４は、例えば、メモリ媒体（例えば、非一時的コンピュータ読み取り可能なメモリ媒体）に記憶されたプログラムインストラクションを実行することにより、ここに述べる方法の一部分又は全部を実施するように構成される。それとは別に、プロセッサ５０４は、プログラム可能なハードウェア要素、例えば、ＦＰＧＡ（フィールドプログラマブルゲートアレイ）又はＡＳＩＣ（特定用途向け集積回路）又はその組み合わせとして構成される。
【００４９】
図６：接近サービス機能
図６は、ある実施形態によるＰｒｏＳｅ機能エンティティ３２８の例示的なブロック図である。図６のＰｒｏＳｅ機能３２８は、考えられるＰｒｏＳｅ機能３２８の一例に過ぎないことに注意されたい。図示されたように、ＰｒｏＳｅ機能３２８は、ＰｒｏＳｅ機能３２８のためのプログラムインストラクションを実行するプロセッサ６０４（１つ又は複数）を備えている。プロセッサ６０４は、メモリマネージメントユニット（ＭＭＵ）６４０にも結合され、これは、プロセッサ６０４からアドレスを受け取り、そしてそのアドレスをメモリ（例えば、メモリ６６０及びリードオンリメモリ（ＲＯＭ）６５０）内の位置或いは他の回路又は装置に変換するように構成される。
【００５０】
ＰｒｏＳｅ機能３２８は、少なくとも１つのネットワークポート６７０を備えている。ネットワークポート６７０は、１つ以上のベースステーション及び／又は他のセルラーコアネットワークエンティティ及び／又は装置に結合されるように構成される。
【００５１】
ＰｒｏＳｅ機能３２８は、ＵＥ装置１０６のような複数の装置に接近関連サービスを提供する。例えば、ＰｒｏＳｅ機能３２８は、接近サービスのためにＵＥ装置を登録し、接近要求を受け取って構成し、そしてＵＥ装置１０６に接近通知を与えるという役割を果たす。
【００５２】
ＰｒｏＳｅ機能３２８は、種々の通信プロトコル及び／又はインターフェイスのいずれかによりベースステーション（例えば、ｅＮＢ）及び／又は他のコアネットワークエンティティ／装置と通信する。一例として、３ＧＰＰコンテクストにおいて、ＰｒｏＳｅ機能３２８は、ＰＣ２、ＰＣ３、ＰＣ４、ＰＣ６、ＰＣ７のいずれか、及び／又は種々の他の通信プロトコル又はインターフェイスのいずれかを使用して、他のセルラーネットワークコンポーネントと通信する。
【００５３】
ＰｒｏＳｅ機能３２８のプロセッサ６０４は、例えば、メモリ媒体（例えば、非一時的コンピュータ読み取り可能なメモリ媒体）に記憶されたプログラムインストラクションを実行することにより、ここに述べる方法の一部又は全部を実施するように構成される。それとは別に、プロセッサ６０４は、プログラム可能なハードウェア要素、例えば、ＦＰＧＡ（フィールドプログラマブルゲートアレイ）、又はＡＳＩＣ（特定用途向け集積回路）、又はその組み合わせとして構成される。
【００５４】
図７：接近サービスアーキテクチャー
ここに述べるように、接近サービスは、接近検出が要求されるある装置の接近性を監視し、そして適切な接近レベルが検出されたときにそれら装置に通知を与えることを含む。ある場合には、接近する装置の直接的な発見及びそれらの間の通信を容易にするためのサポート又は支援情報も接近サービスに関連して与えられる。そのようなサービスに対する登録及び許可／認証、並びにサービスそれ自体は、一般的に、１つ以上の他のネットワークエンティティに関連して、１つ以上のセルラーコアネットワークにおける１つ以上の接近サービス（ＰｒｏＳｅ）機能により契約者装置に与えられる。図７は、ある実施形態によりネットワークベースの接近サービスが提供される例示的な（ローミング）ネットワークアーキテクチャーを示す。ここに示すアーキテクチャーは、接近サービスを提供するのに使用される１つの考えられるアーキテクチャーを表わすが、多数の変更や代替も考えられ、そして図７のアーキテクチャーの特定の特徴は、全体としてこの開示に限定されないと考えねばならない。
【００５５】
図示されたように、複数のワイヤレスユーザ装置（ＵＥ）の各々は、ＰｒｏＳｅイネーブル型アプリケーションを含む。ＵＥは、例えば、各ＵＥの位置及び／又はサービスプロバイダーに基づいて、異なる公衆地上移動ネットワーク（ＰＬＭＮ）にアタッチされる。例えば、第１のＵＥ（ＵＥ  Ａ）は、ローミングシナリオにおいて、そのホームＰＬＭＮ（ＰＬＭＮ  Ａ）ではないＰＬＭＮ（ＰＬＭＮ  Ｃ）にアタッチされて示されている。一方、第２のＵＥ（ＵＥ  Ｂ）は、そのホームＰＬＭＮである更に別のＰＬＭＮ（ＰＬＭＮ  Ｂ）にアタッチされて示されている。エンハンストユニバーサル地上無線アクセスネットワーク（Ｅ−ＵＴＲＡＮ）により形成される移動マネージメントエンティティ（ＭＭＥ）及びサービング及び／又はパケットゲートウェイ（Ｓ／ＰＧＷ）のようなコアネットワーク機能に加えて、各ＰＬＭＮは、各ＰｒｏＳｅ機能を含む。又、ホーム契約者サーバー（ＨＳＳ）も、少なくともある場合には、各ＰＬＭＮの一部分として与えられる。更に、１つ以上のＰｒｏＳｅアプリケーションサーバー（例えば、種々の考えられるＰｒｏＳｅケーパブルアプリケーションに対応し、且つ少なくともある場合には各セルラーコアネットワークの外部の第三者サーバーである）が提供される。
【００５６】
図示されたように、ここに示す種々のエンティティ間で通信するために、種々の通信メカニズム／基準ポイント（例えば、ＰＣ１−ＰＣ７、Ｓ１、ＬＴＥ−Ｕｕ、Ｓ６ａ、等）が使用される。例えば、ＰＣ１は、アプリケーションレベルシグナリングを含み、ＰＣ２は、ＰｒｏＳｅ発見のためのアイデンティティ変換を与え、ＰＣ５は、ＵＥ間で直接通信するためのデバイス・ツー・デバイスインターフェイスを含む。少なくともある場合には、ＰＣ３及びＰＣ６は、進化型パケットコア（ＥＰＣ）ユーザプレーンをトランスポートのために使用し、「オーバーＩＰ」基準点である。
【００５７】
図８−１５：ネットワーク支援の接近サービス高レベル通信フロー
図８−１５は、ある実施形態によるネットワーク支援の接近サービスに関する例示的な高レベル（例えば、シグナリングプロトコル不可知論）通信フローを示す。特に、図８−１５に関連して図示して説明するシナリオは、３ＧＰＰ  ＴＳ２３．３０３に関して図示して説明されたものと同様に、接近サービス特徴のステージ２レベル３ＧＰＰ仕様を表わす。ここに示す通信フローは、接近サービスの提供に関連して使用される考えられる通信フローを表わすが、種々の変更や代替も考えられ、図８ないし１５の特定のシナリオ及び特徴は、全体としてこの開示に限定されないと考えるべきであることに注意されたい。
【００５８】
図８は、ＵＥ間のネットワーク支援型接近サービスを提供するための例示的な全高レベル通信フローを示す。通信フローが図８に示された例示的なシナリオでは、第１のＵＥ（ＵＥ  １０６Ａ）は、ＰｒｏＳｅ機能（ＰｒｏＳｅ機能３２８Ａ）及びＳＬＰ（ＳＬＰ８３０Ａ）のようなコアネットワークエンティティを含む第１のセルラーネットワーク／ＰＬＭＮに関連付けられ、一方、第２のＵＥ（ＵＥ  １０６Ｂ）は、ＰｒｏＳｅ機能（ＰｒｏＳｅ機能３２８Ｂ）及びＳＬＰ（ＳＬＰ８３０Ｂ）のようなコアネットワークエンティティを同様に含む第２のセルラーネットワーク／ＰＬＭＮに関連付けられる。
【００５９】
図示されたように、接近サービスを提供することに向かう第１ステップとして、８０２及び８０４において、各ＵＥ１０６は、各ホームＰＬＭＮに常駐するＰｒｏＳｅ機能３２８でＰｒｏＳｅのためのＵＥ登録を遂行する。更に、８０６及び８０８において、各ＵＥ１０６は、各ホームＰＬＭＮに常駐するＰｒｏＳｅ機能３２８によりアプリケーションサーバー８３２でＰｒｏＳｅのためのアプリケーション登録を遂行する。
【００６０】
登録が完了すると、８１０において、ＵＥ１０６の１つ（例えば、ＵＥ１０６Ａ）は、別のＵＥ１０６（例えば、ＵＥ１０６Ｂ）に対して接近要求を行う。例えば、ＵＥ１０６Ｂに接近するときにＵＥ１０６Ａに警報することが要求される（おそらく要求が有効である時間窓を指示する）。それに応答して、８１２及び８１４において、ＰｒｏＳｅ機能３２８Ａは、ＵＥ１０６Ａ及びＵＥ１０６Ｂに対して位置更新を要求する。この位置更新は、周期的であるか、トリガーに基づくか、又はその両方の組み合わせである。ＵＥ１０６Ａの位置更新を要求するために、ＰｒｏＳｅ機能３２８Ａは、ＳＬＰ８３０Ａにコンタクトする。ＵＥ１０６Ｂの位置更新を要求するために、ＰｒｏＳｅ機能３２８Ａは、ＰｒｏＳｅ機能３２８Ｂにコンタクトし、これは、次いで、ＳＬＰ１０６ＢからＵＥ１０６Ｂの位置更新を要求する。位置情報は、ＯＭＡ  ＳＵＰＬにより与えられる。
【００６１】
ＵＥ１０６の位置は、その後、各ＰｒｏＳｅ機能３２８へ間欠的に報告される。ＰｒｏＳｅ機能３２８Ｂは、ＰｒｏＳｅ機能３２８Ａによりセットされた条件に基づいてＰｒｏＳｅ機能３２８へＵＥ１０６Ｂの位置更新を転送する。ＰｒｏＳｅ機能３２８ＡがＵＥ１０６Ａ及び／又はＵＥ１０６Ｂに対して位置更新を受け取ると、ＵＥ１０６Ａ及びＵＥ１０６Ｂの位置について接近分析を遂行する。
【００６２】
ＵＥ１０６が接近していることをＰｒｏＳｅ機能３２８Ａが検出すると、８１６において、ＵＥ１０６Ｂが接近していることをＵＥ１０６Ａに通知し、そして（任意であるが）直接的発見及びＵＥ１０６Ｂとの通信を容易にし又は促進するように設計された支援情報をＵＥ１０６Ａに与える（例えば、ＷＬＡＮ直接的及び／又は他のＤ２Ｄ通信スキームに従って）。又、ＰｒｏＳｅ機能３２８Ａは、ＰｒｏＳｅ機能３２８Ｂに通知し、これは、次いで、検出された接近性をＵＥ１０６Ｂに通知し、そして（任意であるが）直接的発見及びＵＥ１０６Ａとの通信を容易にし又は促進するように設計された支援情報をＵＥ１０６Ｂに与える（例えば、同様に、ＷＬＡＮ直接的及び／又は他のＤ２Ｄ通信スキームに従って）。
【００６３】
図９−１０は、ネットワーク支援の接近サービスに対してＵＥ１０６を登録するための例示的な高レベル通信フローを示す。ＰｒｏＳｅ機能３２８Ａを選択するために、ＵＥ１０６Ａは、サービングＰＬＭＮ  ＩＤを使用して完全修飾ドメイン名（ＦＱＤＮ）を構成し、そしてＤＮＳ変換に基づいて、ＰｒｏＳｅ機能３２８ＡのＩＰアドレスを得る。９０２において、ＵＥ１０６Ａは、ＵＥ登録要求（ＩＭＳＩ、［ＷＬＬＩＤ＿Ａ］）メッセージを送信することによりＰｒｏＳｅ機能３２８Ａで登録する。ＵＥ１０６ＡがＷＬＡＮ直接的発見及び通信に対してネットワーク（例えば、ＥＰＣ）サポートを使用するつもりであり且つ永久的ＷＬＡＮリンクレイヤＩＤを使用する場合には、メッセージがＵＥ１０６Ａの永久的ＷＬＡＮリンクレイヤＩＤ（ＷＬＬＩＤ＿Ａ）も含む。或いは又、ＵＥ１０６Ａは、ＰｒｏＳｅ機能３２８Ａから一時的なＷＬＡＮリンクレイヤＩＤを接近要求手順の一部分として得る。
【００６４】
９０４において、ＰｒｏＳｅ機能３２８Ａは、ＨＳＳ３２４と相互作用して、ユーザを認証し、そしてユーザがＰｒｏＳｅに対して許可されたかどうかチェックする。或いは又、ＰｒｏＳｅのための認証及び許可に関する全てのユーザ設定は、ＰｒｏＳｅ機能３２８Ａにおいてローカルで構成され、この場合、ＨＳＳ３２４との相互作用は、必要でない。
【００６５】
９０６において、ＰｒｏＳｅ機能３２８Ａは、ＵＥ１０６ＡのためのＥＰＣ  ＰｒｏＳｅ契約者ＩＤ（ＥＰＵＩＤ＿Ａ）を発生し、そのＥＰＵＩＤ＿ＡをＵＥ１０６ＡのＩＭＳＩと一緒に記憶し、そしてＵＥ登録応答（ＥＰＵＩＤ＿Ａ）メッセージを送信することによりＵＥ１０６Ａへ応答する。
【００６６】
ＵＥ登録が完了すると、例えば、図１０に示すように、アプリケーション登録が遂行される。１００２において、ＵＥ１０６Ａは、アプリケーション登録要求（ＥＰＵＩＤ＿Ａ、アプリケーションＩＤ、ＡＬＵＩＤ＿Ａ）メッセージをＰｒｏＳｅ機能３２８Ａへ送信し、ＰｒｏＳｅのためのアプリケーションを登録する。ＥＰＵＩＤ＿Ａは、ＵＥ１０６ＡのためのＥＰＣ  ＰｒｏＳｅ契約者ＩＤである。アプリケーションＩＤは、第三者Ａｐｐサーバープラットホームを識別するのに使用される。ＡＬＵＩＤ＿Ａは、ユーザＡのアプリケーションレイヤユーザＩＤである。
【００６７】
ＰｒｏＳｅ機能３２８Ａは、ＥＰＵＩＤ＿Ａを使用して、ユーザＡのプロフィールを検索し、要求されたアプリケーションが、許可されたアプリケーションＩＤの記憶リストにあることをチェックし、そして（１００４において）ＰｒｏＳｅ登録要求（ＡＬＵＩＤ＿Ａ、ＥＰＵＩＤ＿Ａ、ＰＦＩＤ＿Ａ）メッセージをＡｐｐサーバー８３２へ送信して、このアプリケーション（ＡＬＵＩＤ＿Ａと識別された）のユーザがそのアプリケーションに対してＰｒｏＳｅの使用を要求したことを指示する。ＰＦＩＤ＿Ａは、ＰｒｏＳｅ機能３２８ＡのＰｒｏＳｅ機能ＩＤである。Ａｐｐサーバー８３２は、その要求を受け容れると、ユーザのアプリケーションレイヤユーザＩＤ（ＡＬＵＩＤ＿Ａ）及びＥＰＣ  ＰｒｏＳｅ契約者ＩＤ（ＥＰＵＩＤ＿Ａ）をＰＦＩＤ＿Ａと一緒に記憶する。
【００６８】
１００６において、Ａｐｐサーバー８３２は、ＰｒｏＳｅ登録応答メッセージをＰｒｏＳｅ機能３２８Ａへ送信して、登録が成功であった（又は不成功であった）ことを指示する。
【００６９】
１００８において、ＰｒｏＳｅ機能３２８Ａは、アプリケーション登録応答（許可範囲）メッセージをＵＥ１０６Ａへ送信して、登録が成功であった（又は不成功であった）ことを指示する。許可範囲パラメータは、このアプリケーションに許された範囲クラスのセットを含む。
【００７０】
図１１は、接近要求を取り扱うための例示的な高レベル通信フローを示す。図示されたように、１１０２において、ＵＥ１０６Ａは、接近要求（ＥＰＵＩＤ＿Ａ、アプリケーションＩＤ、ＡＬＵＩＤ＿Ａ、ＡＬＵＩＤ＿Ｂ、窓、範囲、Ａの位置、［ＷＬＡＮ指示］）メッセージをＰｒｏＳｅ機能３２８Ａへ送信する。アプリケーションＩＤパラメータは、第三者Ａｐｐサーバー８３２プラットホームを識別する。ＡＬＵＩＤ＿Ａ及びＡＬＵＩＤ＿Ｂは、各々、ユーザＡ及びＢのアプリケーションレイヤユーザＩＤである。窓パラメータは、要求が有効である期間を指示する。範囲は、許可範囲クラスのセットから選択されたこのアプリケーションに対する要求範囲クラスである（例えば、ＵＥ１０６Ａ及びＵＥ１０６Ｂの位置間の最大距離のような接近レベルを特定し、これは、接近警報をトリガーする）。Ａの位置は、ＵＥ１０６Ａが知っている最良の精度でのＵＥ１０６Ａの現在位置である。ＵＥ１０６Ａは、ＷＬＡＮ指示を追加することによりＷＬＡＮ直接的発見及びＵＥ１０６Ｂとの通信に対するＥＰＣサポートを任意に要求する。
【００７１】
１１０４において、ＰｒｏＳｅ機能３２８Ａは、マップ要求（ＡＬＵＩＤ＿Ａ、ＡＬＵＩＤ＿Ｂ）メッセージをＡｐｐサーバー８３２へ送信して、ターゲットとするユーザＢに対するＥＰＣ  ＰｒｏＳｅ契約者ＩＤを与えることを要求する。ＰｒｏＳｅ機能３２８Ａは、接近警報手順、接近要求キャンセル手順の実行まで、又は要求が有効である時間窓の満了まで、アプリケーションレイヤユーザＩＤ（ＡＬＵＩＤ＿Ａ及びＡＬＵＩＤ＿Ｂ）を記憶する。
【００７２】
Ａｐｐサーバー８３２は、ユーザＢの特定用途向けＰｒｏＳｅ許可をチェックし、ユーザＡがユーザＢを発見することが許されたことを確認し、そして１１０６において、マップ応答（ＥＰＵＩＤ＿Ｂ  ＰＦＩＤ＿Ｂ）メッセージをＰｒｏＳｅ機能３２８Ａへ送信して、ユーザＢのＥＰＣ  ＰｒｏＳｅ契約者ＩＤ（ＥＰＵＩＤ＿Ｂ）及びＰｒｏＳｅ機能３２８ＢのＰｒｏＳｅ機能ＩＤ（ＰＦＩＤ＿Ｂ）を指示する。ＰｒｏＳｅ機能３２８Ａは、接近警報手順、接近要求キャンセル手順の実行まで、又は要求が有効である時間窓の満了まで、ＥＰＵＩＤ＿Ｂ及びＰＦＩＤ＿Ｂを記憶する。
【００７３】
１１０８において、ＰｒｏＳｅ機能３２８Ａは、接近要求（ＥＰＵＩＤ＿Ｂ、ＥＰＵＩＤ＿Ａ、窓、Ａの位置、［ＷＬＬＩＤ＿Ａ］）メッセージをＰｒｏＳｅ機能３２８Ｂへ伝播して、位置更新の周期、（例えば、イベントベース）トリガー、又はその両方を指示する。Ａの位置は、ステップ１１０２で与えられるＵＥ１０６Ａの現在位置である（例えば、３ＧＰＰ  ＴＳ２３．０３２［３］に定義されたようなＧＡＤ形状で表わされる）。ステップ１１０２においてＵＥ１０６ＡがＷＬＡＮ直接的発見及び通信のためのＥＰＣサポートを要求した場合にＷＬＡＮ指示が含まれる。
【００７４】
手前のステップで受け取られたＥＰＵＩＤ＿Ｂに基づき、ＰｒｏＳｅ機能３２８Ｂは、契約者Ｂのレコードを検索する。１１１０において、ＰｒｏＳｅ機能３２８Ｂは、ＨＳＳ３２４を経てＵＥ１０６Ｂの最後に知られた位置を要求する。ＨＳＳ３２４を経て得られたＵＥ１０６Ｂの最後に知られた位置と、ステップ４においてＰｒｏＳｅ機能３２８Ａにより与えられたＵＥ１０６Ａの位置及び時間窓とに基づき、ＰｒｏＳｅ機能３２８Ｂは、ユーザが要求された時間窓内に接近状態に入ることはおそらくないと決定し、そして適当な原因値と共にＵＥ１０６Ａに向かって接近要求拒絶メッセージを送信することによってその要求を拒絶し（ステップ１１１２及び１１１４）、この場合には、手順の残りのステップがスキップされる。
【００７５】
さもなければ、ＵＥ１０６ＢのＰｒｏＳｅプロファイルに基づき、１１１６において、ＵＥ１０６Ｂは、接近要求のための許可を確認することが求められる（例えば、ユーザＢは、ＵＥ１０６ＢのＰｒｏＳｅ機能を一時的にディスエイブルする）。
【００７６】
１１１８において、ＰｒｏＳｅ機能３２８Ｂは、ＳＬＰ８３０ＢからＵＥ１０６Ｂに関する位置レポートを要求し、そして１１２０において、ＰｒｏＳｅ機能３２８Ａへの接近要求を確認し、ＵＥ１０６Ｂの現在位置（もし分かれば）を与える。ＵＥ１０６Ａがステップ１１０２においてＷＬＡＮ直接的発見及び通信のためにＥＰＣサポートを要求する場合、及びＵＥ１０６Ｂが永久的ＷＬＡＮリンクレイヤＩＤを使用する場合には、ＵＥ１０６ＢのＷＬＡＮリンクレイヤＩＤ（ＷＬＬＩＤ＿Ｂ）が含まれる。
【００７７】
１１２２において、ＰｒｏＳｅ機能３２８Ａは、ＳＬＰ８３０ＡからＵＥ１０６Ａに関する位置レポートを要求する。ＵＥ１０６Ａの現在位置が得られる場合及びＵＥ１０６Ｂの位置がステップ７に含まれる場合には、ＰｒｏＳｅ機能３２８Ａは、例えば、ＵＥ１０６が要求された時間窓内に接近状態となるおそれがあまりないと決定されれば、接近要求手順をキャンセルすると決断する。さもなければ、１１２４において、ＰｒｏＳｅ機能３２８Ａは、ＵＥ１０６Ａへの接近要求を確認する。
【００７８】
図１２は、接近警報を取り扱うための例示的な高レベル通信フローを示す。図示されたように、１２０２及び１２０４において、ＵＥ１０６Ｂの位置は、ＰｒｏＳｅ機能３２８Ｂへ間欠的に報告され、これは、１２０６において、位置情報をＰｒｏＳｅ機能３２８Ａへ転送する。ＰｒｏＳｅ機能３２８Ａは、（例えば、１２０８において）２つのＵＥ１０６が接近状態にあることを（例えば、要求された発見範囲クラスに基づき）検出すると、次いで、１２１０において、接近警報（ＡＬＵＩＤ＿Ｂ、支援情報）メッセージを送信することによりＵＥ１０６Ａに警報する。ＡＬＵＩＤ＿Ｂは、ユーザＢのアプリケーションレイヤユーザＩＤである。このメッセージは、ＷＬＡＮ直接的発見及びＵＥ１０６Ｂとの通信に対する支援情報を任意に含む。１２１２において、ＰｒｏＳｅ機能３２８Ａは、ＳＬＰ８３０ＡからのＵＥ１０６Ａに関する位置レポートをキャンセルする。
【００７９】
１２１４において、ＰｒｏＳｅ機能３２８Ａは、接近警報（ＡＬＵＩＤ＿Ａ、支援情報）メッセージをＵＥ１０６Ｂへ送信するようにＰｒｏＳｅ機能３２８Ｂに要求する。ＡＬＵＩＤ＿Ａは、ユーザＡのアプリケーションレイヤユーザＩＤである。このメッセージは、ＷＬＡＮ直接的発見及びＵＥ１０６Ａとの通信に対する支援情報を任意に含む。或いは又、少なくともある場合には、ＵＥ１０６Ｂは、ＵＥ１０６Ａに関して接近要求を提出しないので、接近警報メッセージがＵＥ１０６Ｂに送信されることはない。１２１６において、ＰｒｏＳｅ機能３２８Ｂは、ＳＬＰ８３０ＢからのＵＥ１０６Ｂに関する位置レポートもキャンセルする。
【００８０】
接近警報を受信すると、１２１８において、ＵＥ１０６Ａ及びＵＥ１０６Ｂは、ＷＬＡＮ直接的発見及び通信に（任意に）関与し、及び／又はその他、接近関連ａｐｐアクティビティを開始する。
【００８１】
ＵＥ１０６のＷＬＡＮインターフェイスは、ＷＬＡＮ直接的発見及び通信が遂行されるステップ１２１８までターンオンされる必要がないことに注意されたい。更に、「支援情報」は、ＷＬＡＮ直接的発見及び通信を促進するように設計されるが、支援情報の特定のコンテンツは、ＷＬＡＮ直接的リンクに使用される技術に依存する。支援情報のコンテンツは、ＰｒｏＳｅ機能３２８Ａにより動的に作成され、例えば、ＵＥ１０６Ｂが永久的なＷＬＬＩＤしかサポートしない場合には、ＷＬＬＩＤ＿Ｂの除外も考えられる。
【００８２】
図１３は、接近要求キャンセルを取り扱うための例示的な高レベル通信フローを示す。図示されたように、１３０２において、ＵＥ１０６Ａは、キャンセル接近要求（ＥＰＵＩＤ＿Ａ、アプリケーションＩＤ、ＡＬＵＩＤ＿Ｂ）をＰｒｏＳｅ機能３２８Ａへ送信する。１３０４において、ＰｒｏＳｅ機能３２８Ａは、次いで、キャンセル接近要求（ＥＰＵＩＤ＿Ｂ、ＥＰＵＩＤ＿Ａ）メッセージを、記憶されたＰＦＩＤ  Ｂ情報に基づいてＰｒｏＳｅ機能３２８Ｂへ伝播する。
【００８３】
１３０６において、ＰｒｏＳｅ機能３２８Ａは、次いで、ＳＬＰ８３０ＡからのＵＥ１０６Ａに関する位置レポートをキャンセルする。又、１３０８において、ＰｒｏＳｅ機能３２８Ｂは、ＳＬＰ８３０ＢからのＵＥ１０６Ｂに関する位置レポートもキャンセルし、そして１３１０において、ＰｒｏＳｅ機能３２８Ａへの接近要求キャンセルを確認する。１３１２において、ＰｒｏＳｅ機能３２８Ａは、次いで、ＵＥ１０６Ａへの接近要求キャンセルを確認する。
【００８４】
図１４−１５は、ネットワーク支援の接近サービスに対してＵＥ１０６を登録解除するための例示的な高レベル通信フローを示す。この場合、いつでも、ＵＥ１０６（例えば、図１４に示すステップ１４０２において）又はＰｒｏＳｅ機能３２８（例えば、図１５に示すステップ１５０２において）は、ＵＥ登録解除要求（ＥＰＵＩＤ、原因）メッセージを送信することによりＵＥ１０６を登録解除するように決断する。ＰｒｏＳｅ機能３２８（例えば、図１４のシナリオのステップ１４０４において）又はＵＥ１０６（例えば、図１５のシナリオのステップ１５０４において）は、ＵＥ登録解除応答メッセージを送信することにより登録解除要求を確認する。
【００８５】
図１６−２１：ＳＩＰを使用するネットワーク支援の接近サービス登録及び登録解除
図１６−２１は、ある実施形態により、ネットワーク支援の接近サービスに対してＵＥを登録及び登録解除すると共に、ＳＩＰを使用して、接近要求、接近警報、及び接近要求キャンセル手順を遂行するための例示的な通信フローを示す。特に、図１６及び２０−２１の例示的シナリオにおける登録手順は、ＩＥＴＦ  ＲＦＣ３２６１によるＳＩＰ  ＲＥＧＩＳＴＥＲ要求及びＩＥＴＦ  ＲＦＣ３６８０による登録イベントパッケージを使用して３ＧＰＰ  ＥＰＣレベルのＰｒｏＳｅ発見について登録を行うように実施される。更に、図１１−１３に対してプロトコル不可知論的に示して説明した接近要求、接近警報及び接近要求キャンセル手順は、あるエンティティ（例えば、ＵＥ）が別のエンティティ（例えば、ＰｒｏＳｅ機能）からイベントの非同期通知を要求するシナリオとしてモデリングされるが、図１７−１９は、ＩＥＴＦ  ＲＦＣ６６６５に定義されたＳＩＰ特有のイベント通知フレームワークを使用して接近要求及び警報手順を満足する例示的な実施シナリオを示す。そのようなフレームワークは、接近サービス特徴のステージ３レベルの３ＧＰＰ仕様に関連して設けられる。ここに示す通信フローは、接近サービスの提供と共に使用される通信フローを表わすが、多数の種々の代替物も考えられ、そして図１６−２１の特定のシナリオ及び特徴は、全体としてこの開示に限定されないと考えるべきである。
【００８６】
登録プロセスは、登録プロセスのためのＳＩＰ登録者として働くＰｒｏＳｅ機能３２８Ａと、登録イベント情報の通知者のためのＳＩＰユーザエージェント（ＵＡ）とを含み、ＵＥ１０６ＡがＳＩＰ  ＵＡとして働く。ＵＥ１０６Ａは、一時的なパブリックユーザアイデンティティ（ＳＩＰ  ＵＲＩ）、及びＵＥ１０６ＡのＩＭＳＩから発生されたホームネットワークドメイン名を使用し、そしてＲＥＧＩＳＴＥＲ要求をＰｒｏＳｅ機能３２８Ａへ発生する。
【００８７】
ＰｒｏＳｅ機能３２８Ａは、一時的なパブリックユーザアイデンティティを登録し、そしてＥＰＵＩＤを予約する。ＥＰＵＩＤは、ＲＥＧＩＳＴＥＲ要求の２００  ＯＫ応答のＰ関連ＵＲＩヘッダフィールド（例えば、ＩＥＴＦ  ＲＦＣ７３１５に定義された）においてＵＥ１０６Ａへ返送される。一時的なパブリックユーザアイデンティティは、その後のトランザクションには使用されない。
【００８８】
又、ＰｒｏＳｅ機能３２８Ａは、第三者ＲＥＧＩＳＴＥＲ要求をＡｐｐサーバー８３２へ発生して、ＵＥ１０６Ａの登録状態についてＡｐｐサーバーに通知する。更に、ＵＥ１０６Ａは、ＰｒｏＳｅ機能３２８Ａにおいてネットワーク開始の再登録イベントに関して学習するためにＳＵＢＳＣＲＩＢＥ（Ｅｖｅｎｔ：ｒｅｇ）要求を送信することにより、ＰｒｏＳｅ機能３２８Ａにおいてｒｅｇイベントパッケージと契約する。
【００８９】
図１６は、ＳＩＰを使用してＵＥ及びアプリケーション登録を遂行するための例示的な通信フローを示す。１６０２において、ＵＥ１０６Ａは、例えば、ＲＦＣ３２６１によりＳＩＰ  ＲＥＧＩＳＴＥＲ要求を構成する。要求ＵＲＩは、ＩＭＳＩから導出されるＰｒｏＳｅ機能３２８Ａのホームネットワークドメイン名で埋められる。「ツー・アンド・フロム(To and From)」ヘッダフィールドは、ＩＭＳＩから導出された一時的なパブリックユーザアイデンティティ（例えば、３ＧＰＰ  ＴＳ２３．００３に定義された）にセットされる。ＲＥＧＩＳＴＥＲ要求の本体は、アプリケーションＩＤ及びＡＬＵＩＤ＿Ａを含む。ＵＥ１０６がＷＬＡＮ直接的発見及び通信に対してＥＰＣサポートを使用する意図がある場合、及びそれが永久的なＷＬＡＮリンクレイヤＩＤを使用する場合には、ＲＥＧＩＳＴＥＲ要求の本体は、ＵＥ１０６Ａの永久的なＷＬＡＮリンクレイヤＩＤ（ＷＬＬＩＤ＿Ａ）も含む。
【００９０】
１６０４において、ＰｒｏＳｅ機能３２８Ａは、ＨＳＳ３２４と相互作用して、ユーザを認証し、そしてユーザがＰｒｏＳｅについて許可されるかどうかチェックする。或いは又、ＰｒｏＳｅに対する認証及び許可に関連した全てのユーザ設定は、ＰｒｏＳｅ機能３２８Ａにおいてローカルに構成され、この場合、ＨＳＳ３２４との相互作用は、必要とされない。
【００９１】
ＰｒｏＳｅ機能３２８Ａは、要求されたアプリケーションが、許可されたアプリケーションＩＤの記憶リストにあることをチェックする。アプリケーションが許可された場合には、１６０６において、ＰｒｏＳｅ機能３２８Ａは、第三者ＲＥＧＩＳＴＥＲ要求をＡｐｐサーバー８３２へ送信する。要求ＵＲＩは、アプリケーションＩＤから導出されたＡｐｐサーバー８３２のＦＱＤＮで埋められ、一方、フロム(From)ヘッダフィールドは、ＰＦＩＤ＿Ａを含み、そしてツー(To)ヘッダフィールドは、ＡＬＵＩＤ＿Ａを含む。
【００９２】
Ａｐｐサーバー８３２は、要求を受け容れると、ＡＬＵＩＤ＿Ａ及びＥＰＵＩＤ＿ＡをＰＦＩＤ＿Ａと一緒に記憶する。１６０８において、Ａｐｐサーバー８３２は、２００  ＯＫ応答をＰｒｏＳｅ機能３２８Ａへ送信し、登録が成功したことを指示する。
【００９３】
ＰｒｏＳｅ機能３２８Ａは、ＵＥ１０６Ａに対するＥＰＣ  ＰｒｏＳｅ契約者ＩＤ（ＥＰＵＩＤ＿Ａ）を発生し、ＥＰＵＩＤ＿ＡをユーザのＩＭＳＩと一緒に記憶し、そして登録が成功したことを示す２００  ＯＫ応答を送信することによりＵＥ１０６Ａに応答する（ステップ１６１０）。予約されたＥＰＵＩＤ＿Ａは、Ｐ関連ＵＲＩヘッダフィールド（上述したように、ＩＥＴＦ  ＲＦＣ７３１５に定義される）に含まれる。２００  ＯＫ応答の本体は、許可範囲パラメータを含む。
【００９４】
ＵＥ１０６Ａは、例えば、ＳＵＢＳＣＲＩＢＥ（Ｅｖｅｎｔ：ｒｅｇ）要求を送信する（ステップ１６１２）ことによりＰｒｏＳｅ機能３２８Ａにおいてネットワーク開始の再登録イベントに関して学習するために、ＰｒｏＳｅ機能３２８Ａに登録されるＥＰＵＩＤ＿Ａに対して「ｒｅｇ」イベントパッケージと契約する。ＰｒｏＳｅ機能３２８Ａは、２００  ＯＫ応答を送信することにより（ステップ１６１４）契約を確認する。
【００９５】
ＰｒｏＳｅ機能３２８Ａは、即時ＮＯＴＹＦＹ要求をＵＥ１０６Ａに発生して（ステップ１６１６）、登録成功に関してＵＥ１０６Ａに通知する。ＵＥ１０６Ａは、２００  ＯＫ応答を送信する（ステップ１６１８）ことにより契約を確認する。
【００９６】
ＲＦＣ６６６５によれば、契約者は、通知者からＮＯＴＹＦＹ（通知）要求を受け取るユーザエージェントであり、これらのＮＯＴＩＦＹ要求は、契約者に関心のあるリソースの状態に関する情報を含む。又、契約者は、典型的に、ＳＵＢＳＣＲＩＢＥ（契約）要求を発生し、それを通知者へ送信して契約を生成する。
【００９７】
更に、ＲＦＣ６６６５によれば、通知者は、リソースの状態を契約者に通知するためにＮＯＴＩＦＹ要求を発生するユーザエージェントである。又、通知者は、典型的に、契約を生成するためにＳＵＢＳＣＲＩＢＥ要求も受け容れる。
【００９８】
図１７は、ＳＩＰを使用して接近要求を取り扱うための例示的な通信フローを示す。全体的な明瞭化のため、確認（例えば、ＳＩＰ  ２００  ＯＫメッセージ）は、図１７には示されていないが、そのようなメッセージは、ＳＩＰメッセージに関連して使用されることに注意されたい。
【００９９】
ＲＦＣ６６６５は、通知者により契約者へレポートされる状態情報のセットを定義する新規イベントパッケージを特定するフレームワークである。又、イベントパッケージは、ＲＦＣ６６６５に定義されたフレームワークに基づく更に別のシンタックス及びセマンティックも定義する。
【０１００】
従って、ＰＣ３基準ポイントにおける接近要求及び警報に対してＳＩＰイベントパッケージ（Ｅｖｅｎｔ：ｅｐｃｐｒｏｓｅ）が特定される。そのようなフレームワークでは、ＵＥは、ＳＩＰ契約者であり、そしてＰｒｏＳｅ機能は、ＳＩＰ通知者である。
【０１０１】
イベントパッケージにより表わされる状態は、２つの特定のＵＥの接近性である。通知者は、２つのＵＥが接近状態に入るときに（最終的）ＮＯＴＩＦＹ要求を発生する。通知者は、ＵＥ（１つ又は複数）の実際の位置を明らかにしない。
【０１０２】
更に、存在イベントパッケージ（ＲＦＣ３８５６）は、ＰＣ６基準点に使用され、異なるＰｒｏＳｅ機能間でＵＥの現在位置情報を交換する。
【０１０３】
存在イベントパッケージは、ＲＦＣ４１１９に明示されたＰＩＤＦ−ＬＯオブジェクトでエンコードされた位置情報を搬送するのに使用される。非同期位置通知の数を限定／特定するための適当なフィルタリングは、ＲＦＣ６４４７に明示されたように適用される。
【０１０４】
図示されたように、ＵＥ１０６Ａは、ｅｐｃｐｒｏｓｅイベントパッケージのためのＳＩＰ  ＳＵＢＳＣＲＩＢＥ要求を発生し（ステップ１７０６）、そしてそれをＰｒｏＳｅ機能３２８Ａへ送信する。フロムヘッダフィールドは、ＡＬＵＩＤ＿Ａを含み、ツーヘッダフィールドは、ＡＬＵＩＤ＿Ｂを含み、そして満了ヘッダフィールドは、窓パラメータを含む。ＥＰＵＩＤ＿Ａ、アプリケーションＩＤ、範囲、Ａの位置、［ＷＬＡＮ指示］は、ＳＵＢＳＣＲＩＢＥ要求の本体に埋め込まれる。ｅｐｃｐｒｏｓｅイベントと契約する前に、両ＵＥ１０６は、自身の存在契約を監視するためウオッチャー情報（ＲＦＣ３８５７によるｐｒｅｓｅｎｃｅ．ｗｉｎｆｏテンプレートパッケージ）と契約する（ステップ１７０２及び１７０４）。これは、ＨＳＳ３２４に記憶されたユーザプロフィール設定に基づいて（考えられるファクタの中で）、任意のステップでもよいし又は要求されるステップでもよい。
【０１０５】
ＰｒｏＳｅ機能３２８Ａは、マップ要求（ＡＬＵＩＤ＿Ａ、ＡＬＵＩＤ＿Ｂ）メッセージをＡｐｐサーバー８３２へ送信し（ステップ１７０８）、ターゲットとするユーザＢに対してそれがＥＰＣ  ＰｒｏＳｅ契約者ＩＤを与えることを要求する。ＰｒｏＳｅ機能３２８Ａは、接近警報手順、接近要求キャンセル手順の実行まで、或いは要求が有効である時間窓の満了まで、アプリケーションレイヤユーザＩＤ（ＡＬＵＩＤ＿Ａ及びＡＬＵＩＤ＿Ｂ）を記憶する。
【０１０６】
Ａｐｐサーバー８３２は、ユーザＢの特定用途向けＰｒｏＳｅ許可をチェックし、ユーザＡがユーザＢを発見することが許されたことを確認し、そしてマップ要求（ＥＰＵＩＤ＿Ｂ、ＰＦＩＤ＿Ｂ）メッセージをＰｒｏＳｅ機能３２８Ａへ送信し（ステップ１７１０）、ユーザＢのＥＰＣ  ＰｒｏＳｅ契約者ＩＤ（ＥＰＵＩＤ＿Ｂ）、並びにＰｒｏＳｅ機能３２８ＢのＰｒｏＳｅ機能ＩＤ（ＰＦＩＤ＿Ｂ）を指示する。ＰｒｏＳｅ機能３２８Ａは、接近警報手順、接近要求キャンセル手順の実行まで、或いは要求が有効である時間窓の満了まで、ＥＰＵＩＤ＿Ｂ及びＰＦＩＤ＿Ｂを記憶する。
【０１０７】
ＰｒｏＳｅ機能３２８Ａは、ＵＥ１０６Ａに代わってＵＥ１０６Ｂの位置を監視しそしてそれをＰｒｏＳｅ機能３２８Ｂへ送信するために存在イベントパッケージ（ＲＦＣ３８５６）のためのＳＩＰ  ＳＵＢＳＣＲＩＢＥ要求を発生する（ステップ１７１２）。フロムヘッダフィールドは、ＡＬＵＩＤ＿Ａを含み、ツーヘッダフィールドは、ＥＰＵＩＤ＿Ｂを含み、そして満了ヘッダフィールドは、窓パラメータを含む。ＵＥ１０６Ａの位置及び［ＷＬＡＮ指示］は、ＳＵＢＳＣＲＩＢＥ要求の本体に埋め込まれる。又、ＳＵＢＳＣＲＩＢＥ要求の本体は、位置更新の周期性、トリガー、又はその両方を特定するために、ＲＦＣ６４４７によるフィルタも含む。
【０１０８】
手前のステップで受け取られたＥＰＵＩＤ＿Ｂに基づき、ＰｒｏＳｅ機能３２８Ｂは、契約者Ｂのレコードを検索する。ＰｒｏＳｅ機能３２８Ｂは、ＨＳＳ３２４を経てＵＥ１０６Ｂの最後に知られた位置を要求する（ステップ１７１４）。ＨＳＳ３２４を経て得られたＵＥ１０６Ｂの最後に知られた位置、ＵＥ１０６Ａの位置、及びステップ４においてＰｒｏＳｅ機能３２８Ａにより与えられた時間窓に基づき、ＰｒｏＳｅ機能３２８Ｂは、要求された時間窓内にユーザが接近状態におそらく入れないことを決定し、そしてステップ１７１６において、ＳＩＰ  ＮＯＴＩＦＹ要求を送信することにより要求を拒絶して、契約を終了させる。イベントヘッダフィールドは、「存在(presence)」の値を含み、そして契約状態ヘッダフィールドパラメータは、「終了(terminated)」の値を含む。ＰｒｏＳｅ機能３２８Ａは、このＮＯＴＩＦＹ要求を受け取ると、ｅｐｃｐｒｏｓｅイベントパッケージに対するＵＥ１０６Ａの契約も終了させる（ステップ１７１８）。この場合には、手順の残りのステップがスキップされる。
【０１０９】
さもなければ、ＰｒｏＳｅ機能３２８Ｂは、ＲＦＣ３８５７に基づいてｗａｔｃｈｅｒｉｎｆｏ通知を発生してＵＥ１０６Ｂへ送信し（ステップ１７２０）、存在イベントパッケージに対するＵＥ１０６Ａの契約に関してＵＥ１０６Ｂに通知する。例えば、予め許可された設定及び／又は以前の許可に基づき、ＵＥ１０６Ｂは、ＵＥ１０６Ａの契約を許可することが要求されてもよいし、されなくてもよい。必要に応じて、ＵＥ１０６Ｂは、ＰＵＢＬＩＳＨ要求の本体に単純な承認／拒絶許可を含むＲＦＣ３９０３によるＳＩＰ  ＰＵＢＬＩＳＨ要求を送信することにより、ＵＥ１０６Ａの契約を承認又は拒絶する。ＵＥ１０６Ａが接近状態になったときにＵＥ１０６Ｂが接近警報を受け取ることに関心がある場合には、ＵＥ１０６Ｂは、ｅｐｃｐｒｏｓｅイベントパッケージに対してＳＩＰ  ＳＵＢＳＣＲＩＢＥ要求を発生し（ステップ１７２２）、そしてそれをＰｒｏＳｅ機能３２８Ｂへ送信することができる。
【０１１０】
ＰｒｏＳｅ機能３２８Ｂは、ＳＬＰ８３０ＢからＵＥ１０６Ｂに関する位置レポートを要求する（ステップ１７２４）。ＰｒｏＳｅ機能３２８Ｂは、ＳＩＰ  ＮＯＴＩＦＹ要求（Ｅｖｅｎｔ：ｐｒｅｓｅｎｃｅ）を経てＰｒｏＳｅ機能３２８ＡにＵＥ１０６Ｂの現在位置（もし知っていれば）を与える（ステップ１７２６）。位置情報は、例えば、ＲＦＣ４１１９に明示されたＰＩＤＦ−ＬＯオブジェクトにおいてエンコードされる。ＵＥ１０６Ａがステップ１７０２においてＷＬＡＮ直接的発見及び通信に対してＥＰＣサポートを要求した場合、及びＵＥ１０６Ｂが永久的なＷＬＡＮリンクレイヤＩＤを使用する場合には、ＵＥ１０６ＢのＷＬＡＮリンクレイヤＩＤが存在情報に含まれる。この場合に、他の存在情報は与えられない。
【０１１１】
ＰｒｏＳｅ機能３２８Ａは、ＳＬＰ８３０ＡからＵＥ１０６Ａに関する位置レポートも要求する（ステップ１７２８）。更に、（ＵＥ１０６Ａ及びＵＥ１０６Ｂがまだ接近状態にないと仮定すれば）１７３０において、ＰｒｏＳｅ機能３２８Ａは、ＳＩＰ  ＮＯＴＩＦＹ要求（Ｅｖｅｎｔ：ｅｐｃｐｒｏｓｅ）をＵＥ１０６Ａへ発生して、ＵＥ１０６ＢがＵＥ１０６Ａによって特定された範囲パラメータから外れることをＵＥ１０６Ａに通知する。この情報は、必要に応じて、イベントヘッダフィールドパラメータ（ｏｕｔ＿ｏｆ＿ｐｒｏｘｉｍｉｔｙ）としてエンコードされるか、又はＮＯＴＩＦＹ要求の本体においてエンコードされる。
【０１１２】
図１８は、ＳＩＰを使用して接近警報を取り扱うための例示的な通信フローを示す。図示されたように、ＵＥ１０６Ｂの位置は、ＰｒｏＳｅ機能３２８Ｂへ間欠的にレポートされ、これは、位置情報をＰｒｏＳｅ機能３２８Ａへ転送する（ステップ１８０２、１８０４、１８０６）。２つのＵＥ１０６が接近していることをＰｒｏＳｅ機能３２８Ａが検出すると（例えば、要求された発見範囲クラスに基づいて）（ステップ１８１０）、ＰｒｏＳｅ機能３２８Ａは、ＮＯＴＩＦＹ要求（Ｅｖｅｎｔ：ｅｐｃｐｒｏｓｅ）をＵＥ１０６Ａへ送信する（ステップ１８１２）ことによりＵＥ１０６Ａに警報する。この情報は、イベントヘッダフィールドパラメータ（例えば、“ｏｕｔ＿ｏｆ＿ｐｒｏｘｉｍｉｔｙ”ではなく“ｉｎ＿ｐｒｏｘｉｍｉｔｙ”）としてエンコードされるか又はＮＯＴＩＦＹ要求の本体においてエンコードされる。又、ＮＯＴＩＦＹ要求の本体には任意のＷＬＡＮ支援情報も埋め込まれる。ＵＥ１０６Ａは、２００  ＯＫ応答を送信する（ステップ１８１４）ことにより通知を確認する。ＰｒｏＳｅ機能３２８Ａは、ＳＬＰ８３０ＡからのＵＥ１０６Ａに関する位置レポートをキャンセルする（ステップ１８１８）。
【０１１３】
又、ＰｒｏＳｅ機能３２８Ａは、ＰｒｏＳｅ機能３２８ＢにおけるＵＥ１０６Ａの存在契約を終了させる（ステップ１８１６）。ＰｒｏＳｅ機能３２８Ｂは、２００  ＯＫ応答を送信する（ステップ１８２０）ことにより契約キャンセルを確認する。ＰｒｏＳｅ機能３２８Ｂは、ＳＬＰ８３０からＵＥ１０６Ｂに関する位置レポートをキャンセルする（ステップ１８２２）。
【０１１４】
接近警報を受け取ると、ＵＥ１０６Ａ及びＵＥ１０６Ｂは、（任意であるが）ＷＬＡＮ直接的発見及び通信に関与し、及び／又はさもなければ、接近関連のａｐｐアクティビティを開始する（ステップ１８２４）。
【０１１５】
図１９は、ＳＩＰを使用して接近要求キャンセルを取り扱うための例示的通信フローを示す。図示されたように、ＵＥ１０６Ａは、（ユーザ入力及び／又は種々の他の考えられるファクタのいずれかに基づき）その手前の接近要求をキャンセルするよう決断すると、ｅｐｃｐｒｏｓｅイベントパッケージに対して「０」の値をもつ満了ヘッダフィールドを含むＳＩＰ  ＳＵＢＳＣＲＩＢＥ要求を発生し（ステップ１９０２）、そしてそれをＰｒｏＳｅ機能３２８Ａへ送信する。フロムヘッダフィールドは、ＡＬＵＩＤ＿Ａを含み、そしてツーヘッダフィールドは、ＡＬＵＩＤ＿Ｂを含む。ＰｒｏＳｅ機能３２８Ａは、２００  ＯＫ応答を送信する（ステップ１９０４）ことにより、キャンセルを確認する。
【０１１６】
ＰｒｏＳｅ機能３２８Ａは、値「０」のＥｘｐｉｒｅ（満了）ヘッダフィールドを含む存在イベントパッケージに対してＳＩＰ  ＳＵＢＳＣＲＩＢＥ要求を発生し（ステップ１９０４）、そしてそれをＰｒｏＳｅ機能３２８Ｂへ送信して、ＰｒｏＳｅ機能３２８Ｂにおいて存在契約をキャンセルする。フロムヘッダフィールドは、ＥＰＵＩＤ＿Ａを含み、そしてツーヘッダフィールドは、ＥＰＵＩＤ＿Ｂを含む。ＰｒｏＳｅ機能３２８Ｂは、２００  ＯＫ応答を送信する（ステップ１９０８）ことにより、キャンセルを確認する。
【０１１７】
更に、ＰｒｏＳｅ機能３２８Ａは、ＳＬＰ８３０ＡからのＵＥ１０６Ａに関する位置レポートをキャンセルし（ステップ１９１０）、そしてＰｒｏＳｅ機能３２８Ｂは、ＳＬＰ８３０ＢからのＵＥ１０６Ｂに関する位置レポートをキャンセルする（ステップ１９１２）。
【０１１８】
ＰｒｏＳｅ機能３２８Ｂは、最後のＳＩＰ  ＮＯＴＩＦＹ要求をＰｒｏＳｅ機能３２８Ａへ発生し（ステップ１９１６）、契約が終了したことを指示する。イベントヘッダフィールドは、「存在」の値を含み、そして契約状態ヘッダフィールドのパラメータフィールドは、「終了」の値を含む。ＰｒｏＳｅ機能３２８Ａは、２００  ＯＫ応答をＰｒｏＳｅ機能３２８Ｂへ送信する（ステップ１９２０）ことにより通知を確認する。
【０１１９】
更に、ＰｒｏＳｅ機能３２８Ａは、最後のＳＩＰ  ＮＯＴＩＦＹ要求をＵＥ１０６Ａへ発生し（ステップ１９１４）、契約が終了したことを指示する。イベントヘッダフィールドは、「ｅｐｃｐｒｏｓｅ」の値を含み、そして契約状態ヘッダフィールドのパラメータフィールドは、「終了」の値を含む。ＵＥ１０６Ａは、２００  ＯＫ応答をＰｒｏＳｅ機能３２８Ａへ送信する（ステップ１９１８）ことにより通知を確認する。
【０１２０】
図２０から２１は、各々、ＳＩＰを使用してＵＥ開始及びネットワーク開始のＵＥ登録解除を遂行するための例示的な通信フローを示す。図２０に示すＵＥ開始の登録解除手順では、ＵＥ１０６Ａは、ＳＩＰ  ＲＥＧＩＳＴＥＲ要求を構成し、そしてそれをＰｒｏＳｅ機能３２８Ａへ送信する。ＳＩＰ  ＲＥＧＩＳＴＥＲ要求（ステップ２００２）は、登録解除を指示するために値「０」の満了ヘッダフィールドを含む。ＰｒｏＳｅ機能３２８Ａは、２００  ＯＫ応答を送信する（ステップ２００４）ことで登録解除を確認する。
【０１２１】
図２１に示すネットワーク開始の登録解除手順では、ＰｒｏＳｅ機能３２８Ａは、ＵＥ１０６Ａへの登録イベントパッケージのためのＮＯＴＩＦＹ要求を構成し（ステップ２１０２）、ネットワーク開始の登録解除についてＵＥ１０６Ａに通知する。ＰｒｏＳｅ機能３２８Ａは、＜ｒｅｇｉｓｔｒａｔｉｏｎ＞要素内のａｏｒ属性をＥＰＵＩＤ＿Ａに、及び＜ｒｅｇｉｓｔｒａｔｉｏｎ＞要素の＜ｃｏｎｔａｃｔ＞サブ要素内の＜ｕｒｉ＞サブ要素を、ＵＥ１０６Ａにより与えられる各コンタクトアドレスにセットし；＜ｒｅｇｉｓｔｒａｔｉｏｎ＞要素内の状態属性を「終了」に、及びそのＵＥ１０６Ａに属する各＜ｃｏｎｔａｃｔ＞要素内の状態属性を「終了」にセットし；そしてそのＵＥ１０６Ａに属する各＜ｃｏｎｔａｃｔ＞要素内のイベント属性を、ＰｒｏＳｅ機能３２８ＡがＵＥ１０６Ａを再登録することを期待する場合には「非登録」又は「デアクチベート」のいずれかに、或いはＰｒｏＳｅ機能３２８ＡがＵＥ１０６Ａを再登録することを期待しない場合には「拒絶」にセットする。ＵＥ１０６Ａは、２００  ＯＫ応答を送信する（ステップ２１０４）ことによりネットワーク開始の登録解除を確認する。
【０１２２】
次のような更に別の例示的な実施形態が提供される。
【０１２３】
１組の実施形態は、セルラーコアネットワークの接近サービス（ＰｒｏＳｅ）機能でワイヤレスユーザ装置（ＵＥ）を登録する方法において、ＵＥがセッションイニシエーションプロトコル（ＳＩＰ）登録要求をＰｒｏＳｅ機能へ送信し、ＳＩＰ登録要求は、接近サービスのためにＵＥをどれが登録するかに関連してアプリケーションのためのアプリケーション識別情報を含み、ＰｒｏＳｅ機能は、ＵＥからＳＩＰ登録要求を受け取ることに少なくとも一部分基づいてアプリケーションに対応するアプリケーションサーバーへＵＥに代わって第三者ＳＩＰ登録要求を送信し；ＰｒｏＳｅ機能は、第三者ＳＩＰ登録要求に応答してアプリケーションサーバーからＳＩＰ  ２００  ＯＫ応答を受け取り；ＵＥは、ＳＩＰ登録要求に応答してＰｒｏＳｅ機能からＳＩＰ  ２００  ＯＫ応答を受け取り；ＵＥは、登録イベントパッケージと契約するＳＩＰ契約要求をＰｒｏＳｅ機能へ送信し；ＵＥは、契約を確認するＳＩＰ契約要求に応答してＰｒｏＳｅ機能からＳＩＰ  ２００  ＯＫ応答を受け取り；ＵＥは、登録が成功であったことをＵＥに通知するＳＩＰ通知要求をＰｒｏＳｅ機能から受け取り；そしてＵＥは、そのＳＩＰ通知要求に応答してＰｒｏＳｅ機能へＳＩＰ  ２００  ＯＫ応答を送信する；ことを含む方法を包含する。
【０１２４】
ある実施形態によれば、ＳＩＰ登録要求は、ＵＥの国際移動契約者アイデンティティ（ＩＭＳＩ）に基づくＳＩＰ  ＵＲＩの形態の一時的パブリックユーザアイデンティティを含み、ＰｒｏＳｅ機能は、ＵＥからＳＩＰ登録要求を受け取るのに基づいてＵＥのためのＰｒｏＳｅ契約者識別子を発生し、そしてＵＥへのＳＩＰ登録要求に対して送信されるＳＩＰ  ２００  ＯＫ応答のＰ関連ＵＲＩヘッダフィールドにＵＥのためのＰｒｏＳｅ契約者識別子を含む。
【０１２５】
付加的な例示的実施形態は、セルラーコアネットワークの接近サービス（ＰｒｏＳｅ）機能でワイヤレスユーザ装置（ＵＥ）を登録解除する方法において、ＵＥがセッションイニシエーションプロトコル（ＳＩＰ）登録要求をＰｒｏＳｅ機能へ送信し、ＳＩＰ登録要求は、ＰｒｏＳｅに対するＵＥの登録解除を指示するために値「０」の満了ヘッダフィールドを含み；そしてＵＥは、ＳＩＰ登録要求に応答してＰｒｏＳｅ機能からＳＩＰ  ２００  ＯＫ応答を受け取り、登録解除を確認する；ことを含む方法を包含する。
【０１２６】
更に別の例示的実施形態は、セルラーコアネットワークの接近サービス（ＰｒｏＳｅ）機能でワイヤレスユーザ装置（ＵＥ）を登録解除する方法において、ＵＥがセッションイニシエーションプロトコル（ＳＩＰ）通知要求をＰｒｏＳｅ機能から受信し、ＳＩＰ通知要求は、登録イベントパッケージに対応し、ＳＩＰ通知要求は、ＵＥへのＰｒｏＳｅに対するＵＥの登録解除を指示し；そしてＵＥは、ＳＩＰ通知要求に応答してＰｒｏＳｅ機能へＳＩＰ  ２００  ＯＫ応答を送信し、登録解除を確認する；ことを含む方法を包含する。
【０１２７】
更に別の例示的実施形態は、第１のワイヤレスユーザ装置（ＵＥ）と、セルラーコアネットワークの第１の接近サービス（ＰｒｏＳｅ）機能との間でネットワーク支援の接近要求を取り扱う方法において、第１のＵＥが、第２のＵＥに対応する接近要求としてｅｐｃｐｒｏｓｅイベントパッケージのために第１のＰｒｏＳｅ機能へセッションイニシエーションプロトコル（ＳＩＰ）契約要求を送信し；第１のＰｒｏＳｅ機能は、第２のＵＥに対応する存在イベントパッケージのために第２のＰｒｏＳｅ機能へＳＩＰ契約要求を送信することにより接近要求を伝播し；第１のＵＥは、第１のＰｒｏＳｅ機能からＳＩＰ通知要求を受け取って、接近要求を確認する；ことを含む方法を包含する。
【０１２８】
ある実施形態によれば、ＳＩＰ契約要求は、第２のＵＥに対応する接近要求のキャンセルを指示するため値「０」の満了ヘッダフィールドを含み、ＳＩＰ通知要求は、接近要求キャンセルを確認するために第１のＵＥの契約状態が終了であることを指示する。
【０１２９】
ある実施形態では、前記例示的な方法は、更に、第１のＵＥがｅｐｃｐｒｏｓｅイベントパッケージに対して第１のＰｒｏＳｅ機能からＳＩＰ通知要求を受け取ることを含み、これは、第２のＵＥが第１のＵＥに接近していることを、第２のＵＥに対応する接近警報として指示するものであり、第１のＰｒｏＳｅ機能は、存在イベントパッケージに対して第２のＰｒｏＳｅ機能からＳＩＰ通知要求を受信しそして第２のＵＥが第１のＵＥに接近していると決定することに基づいてｅｐｃｐｒｏｓｅイベントパッケージに対してＳＩＰ通知要求を送信する。
【０１３０】
更に別の例示的な実施形態は、セルラーコアネットワークの接近サービス（ＰｒｏＳｅ）機能でワイヤレスユーザ装置（ＵＥ）を登録する方法において、ＰｒｏＳｅ機能は、ＵＥからセッションイニシエーションプロトコル（ＳＩＰ）登録要求を受信し、ＳＩＰ登録要求は、接近サービスのためにＵＥをどれが登録するかに関連してアプリケーションのためのアプリケーション識別情報を含み、ＰｒｏＳｅ機能は、ＵＥからＳＩＰ登録要求を受け取ることに少なくとも一部分基づいてアプリケーションに対応するアプリケーションサーバーへＵＥに代わって第三者ＳＩＰ登録要求を送信し；ＰｒｏＳｅ機能は、第三者ＳＩＰ登録要求に応答してアプリケーションサーバーからＳＩＰ  ２００  ＯＫ応答を受け取り；ＰｒｏＳｅ機能は、アプリケーションサーバーからＳＩＰ  ２００  ＯＫ応答を受信するのに基づき、ＳＩＰ登録要求に応答してＵＥへＳＩＰ  ２００  ＯＫ応答を送信し；ＰｒｏＳｅ機能は、ＵＥからの登録イベントパッケージと契約するＳＩＰ契約要求を受け取り；ＰｒｏＳｅ機能は、ＳＩＰ契約要求に応答してＵＥへＳＩＰ  ２００  ＯＫ応答を送信して、契約を確認し；ＰｒｏＳｅ機能は、ＵＥへＳＩＰ通知要求を送信して、登録が成功であったことをＵＥに通知し；そしてＰｒｏＳｅ機能は、ＳＩＰ通知要求に応答してＵＥからＳＩＰ  ２００  ＯＫ応答を受け取る；ことを含む方法を包含する。
【０１３１】
ある実施形態では、ＳＩＰ登録要求は、ＵＥの国際移動契約者アイデンティティ（ＩＭＳＩ）に基づく一時的パブリックユーザアイデンティティを含み、ＰｒｏＳｅ機能は、ＵＥからＳＩＰ登録要求を受け取るのに基づいてＵＥのためのＰｒｏＳｅ契約者識別子を発生し、そしてＵＥへのＳＩＰ登録要求に対して送信されるＳＩＰ  ２００  ＯＫ応答のＰ関連ＵＲＩヘッダフィールドにＵＥのためのＰｒｏＳｅ契約者識別子を含む。
【０１３２】
ある実施形態では、前記例示的な方法は、更に、ＰｒｏＳｅ機能がＵＥの許可をチェックし、及び／又はＵＥに対応するホーム契約者サーバーでＰｒｏＳｅに対してＵＥを認証することを含む。
【０１３３】
更に別の実施形態は、セルラーコアネットワークの接近サービス（ＰｒｏＳｅ）機能でワイヤレスユーザ装置（ＵＥ）を登録解除する方法において、ＰｒｏＳｅ機能は、ＵＥからセッションイニシエーションプロトコル（ＳＩＰ）登録要求を受信し、ＳＩＰ登録要求は、ＰｒｏＳｅに対するＵＥの登録解除を指示するために値「０」の満了ヘッダフィールドを含み；そしてＰｒｏＳｅ機能は、ＳＩＰ登録要求に応答してＵＥへＳＩＰ  ２００  ＯＫ応答を送信し、登録解除を確認する；ことを含む方法を包含する。
【０１３４】
更に別の例示的な実施形態は、セルラーコアネットワークの接近サービス（ＰｒｏＳｅ）機能でワイヤレスユーザ装置（ＵＥ）を登録解除する方法において、ＰｒｏＳｅ機能は、セッションイニシエーションプロトコル（ＳＩＰ）通知要求をＵＥへ送信し、そのＳＩＰ通知要求は、登録イベントパッケージに対応し、更に、ＳＩＰ通知要求は、ＵＥへのＰｒｏＳｅに対するＵＥの登録解除を指示し；そしてＰｒｏＳｅ機能は、ＳＩＰ通知要求に応答してＵＥからＳＩＰ  ２００  ＯＫ応答を受信し、登録解除を確認する；ことを含む方法を包含する。
【０１３５】
更に別の例示的な実施形態は、第１のワイヤレスユーザ装置（ＵＥ）と、セルラーコアネットワークの第１の接近サービス（ＰｒｏＳｅ）機能との間でネットワーク支援の接近要求を取り扱う方法において、第１のＰｒｏＳｅ機能が、第２のＵＥに対応する接近要求としてｅｐｃｐｒｏｓｅイベントパッケージのために第１のＵＥからセッションイニシエーションプロトコル（ＳＩＰ）契約要求を受信し；第１のＰｒｏＳｅ機能は、第２のＵＥに対応する存在イベントパッケージのために第２のＰｒｏＳｅ機能へＳＩＰ契約要求を送信することにより接近要求を伝播し；第１のＰｒｏＳｅ機能は、第１のＵＥへＳＩＰ通知要求を送信して、接近要求を確認する；ことを含む方法を包含する。
【０１３６】
ある実施形態では、ＳＩＰ契約要求は、第２のＵＥに対応する接近要求のキャンセルを指示するため値「０」の満了ヘッダフィールドを含み、ＳＩＰ通知要求は、接近要求キャンセルを確認するために第１のＵＥの契約状態が終了であることを指示する。
【０１３７】
ある実施形態では、前記例示的な方法は、第１のＰｒｏＳｅ機能が、第２のＵＥの位置情報を含む存在イベントパッケージに対して第２のＰｒｏＳｅ機能からＳＩＰ通知要求を受信し；第１のＰｒｏＳｅ機能は、第１のＵＥの位置情報を受信し；第１のＰｒｏＳｅ機能は、第２のＵＥの位置情報及び第１のＵＥの位置情報に基づき第２のＵＥが第１のＵＥに接近することを決定し；第１のＰｒｏＳｅ機能は、ｅｐｃｐｒｏｓｅイベントパッケージに対して第１のＵＥへＳＩＰ通知要求を送信して、第２のＵＥが第１のＵＥに接近していることを、第２のＵＥに対応する接近警報として指示する；ことを更に含む。
【０１３８】
付加的な例示的な１組の実施形態は、ワイヤレス通信するように構成された１つ以上のアンテナに結合された１つ以上の無線と；その１つ以上の無線に作動的に結合された処理要素と；を備えたワイヤレスユーザ装置（ＵＥ）であって、ＵＥは、前記実施例の方法のいずれか又は全ての部分を具現化するように構成された、ワイヤレスユーザ装置（ＵＥ）を包含する。
【０１３９】
別の例示的な１組の実施形態は、１つ以上のセルラーネットワーク要素及び／又は他の装置と通信するように構成された１つ以上のネットワークポートと；その１つ以上のネットワークポートに作動的に結合された処理要素と；を備えた接近サービス（ＰｒｏＳｅ）機能において、前記実施例の方法のいずれか又は全ての部分を具現化するように構成されたＰｒｏＳｅ機能。
【０１４０】
更に別の例示的な１組の実施形態は、装置で実行されたとき、装置が前記実施例の方法のいずれか又は全ての部分を具現化するようにさせるプログラムインストラクションを含む非一時的なコンピュータアクセス可能なメモリ媒体を包含する。
【０１４１】
更に別の例示的な１組の実施形態は、前記実施例の方法のいずれか又は全ての部分を遂行するためのインストラクションを含むコンピュータプログラムを包含する。
【０１４２】
更に別の例示的な１組の実施形態は、いずれかの前記実施例の方法要素のいずれか又は全部を遂行するための手段を備えた装置を包含する。
【０１４３】
本開示の実施形態は、種々の形態のいずれかで実現することができる。例えば、ある実施形態は、コンピュータ実施方法、コンピュータ読み取り可能なメモリ媒体又はコンピュータシステムとして実現される。他の実施形態は、ＡＳＩＣのような１つ以上のカスタム設計のハードウェア装置を使用して実現される。又、他の実施形態は、ＦＰＧＡのような１つ以上のプログラム可能なハードウェア要素を使用して実現される。
【０１４４】
ある実施形態では、非一時的なコンピュータ読み取り可能なメモリ媒体は、プログラムインストラクション及び／又はデータを記憶するように構成され、プログラムインストラクションは、コンピュータシステムにより実行された場合に、コンピュータシステムが、方法、例えば、ここに述べる方法実施形態のいずれか、又はここに述べる方法実施形態の任意の組み合わせ、或いはここに述べる方法実施形態のいずれかのサブセット、又はそのようなサブセットの任意の組み合わせ遂行するようにさせる。
【０１４５】
ある実施形態では、装置（例えば、ＵＥ１０６）は、プロセッサ（又はプロセッサのセット）及びメモリ媒体を含むように構成され、メモリ媒体は、プログラムインストラクションを記憶し、プロセッサは、メモリ媒体からプログラムインストラクションを読み取って実行するように構成され、プログラムインストラクションは、ここに述べる種々の方法実施形態のいずれか（又はここに述べる方法実施形態の任意の組み合わせ、或いはここに述べる方法実施形態のいずれかのサブセット、又はそのようなサブセットの組み合わせ）を実施するように実行される。装置は、種々の形態のいずれかで実施される。
【０１４６】
以上、本発明の実施形態を非常に詳細に説明したが、当業者であれば、前記開示が充分に理解されれば、多数の変更や修正が明らかとなろう。特許請求の範囲は、そのような全ての変更や修正を包含すると解釈される。
【符号の説明】
【０１４７】
１００：ネットワーク
１０２：ベースステーション
１０６：ユーザ装置（ＵＥ）
３２２：移動マネージメントエンティティ（ＭＭＥ）
３２４：ホーム契約者サーバー（ＨＳＳ）
３２６：サービングゲートウェイ
３２８：接近サービス（ＰｒｏＳｅ）機能
４００：システムオンチップ（ＳＯＣ）
４０２：プロセッサ
４０４：ディスプレイ回路
４０６：メモリ
４１０：ＮＡＮＤフラッシュメモリ
４２０：コネクタＩ／Ｆ
４３０：ワイヤレス通信回路
４３５：アンテナ
４４０：メモリマネージメントユニット（ＭＭＵ）
４５０：リードオンリメモリ（ＲＯＭ）
４６０：ディスプレイ
５０４：プロセッサ
５３０：ワイヤレス通信回路
５３２：通信チェーン
５３４：アンテナ
５５０：リードオンリメモリ（ＲＯＭ）
５６０：メモリ
５７０：ネットワークポート
６０４：プロセッサ
６４０：メモリマネージメントユニット（ＭＭＵ）
６５０：リードオンリメモリ（ＲＯＭ）
６６０：メモリ
６７０：ネットワークポート
【図１】
0006010158.tif 000002
【図２】
0006010158.tif 000003
【図３】
0006010158.tif 000004
【図４】
0006010158.tif 000005
【図５】
0006010158.tif 000006
【図６】
0006010158.tif 000007
【図７】
0006010158.tif 000008
【図８】
0006010158.tif 000009
【図９】
0006010158.tif 000010
【図１０】
0006010158.tif 000011
【図１１】
0006010158.tif 000012
【図１２】
0006010158.tif 000013
【図１３】
0006010158.tif 000014
【図１４】
0006010158.tif 000015
【図１５】
0006010158.tif 000016
【図１６】
0006010158.tif 000017
【図１７】
0006010158.tif 000018
【図１８】
0006010158.tif 000019
【図１９】
0006010158.tif 000020
【図２０】
0006010158.tif 000021
【図２１】
0006010158.tif 000022